(57)【特許請求の範囲】
【請求項１】
通信のための装置であって、
物理レイヤ識別子のスーパーセットの異なるサブセットを連続的に受信し、前記異なるサブセットに基づいて前記物理レイヤ識別子に対応するセルについての測定を連続的に行うように構成された受信機と、
測定されたセルの物理レイヤ識別子を識別する測定報告メッセージを送信するように構成された送信機とを備え、
前記受信機は、前記測定報告メッセージに少なくとも部分的に基づいて維持されるネイバーセルリストを受信するようにさらに構成される、
装置。
【請求項２】
前記受信機は、前記測定報告メッセージを送信するように要求し、検出セット報告が使用可能であることを示す少なくとも１つのメッセージを受信するようにさらに構成される、請求項１に記載の装置。
【請求項３】
前記受信機は、測定報告メッセージを要求する少なくとも１つのメッセージを受信するようにさらに構成され、
前記少なくとも１つのメッセージは、探索されるべき物理レイヤ識別子のセットを指定する、請求項１に記載の装置。
【請求項４】
前記物理レイヤ識別子のスーパーセットの前記異なるサブセットは、複数のサブセットに含まれる少なくとも１つの物理レイヤ識別子を備える、請求項１に記載の装置。
【請求項５】
前記受信機は、前記物理レイヤ識別子がどのように優先度を付けられるかについての指示を前記異なるサブセットの各サブセットとともに受信するようにさらに構成される、請求項１に記載の装置。
【請求項６】
前記異なるサブセットの各々における前記物理レイヤ識別子は、
前記物理レイヤ識別子に関連する経路損失、
前記物理レイヤ識別子に関連するセルにおけるアイドル状態のアクセス端末の登録、
前記物理レイヤ識別子に関連するハンドオーバ中に生成されたイベントからの情報、および
前記物理レイヤ識別子がどのくらい頻繁に報告されるか、
のうちの少なくとも１つに基づいて優先度を付けられる、請求項５に記載の装置。
【請求項７】
前記装置は、アクセスポイントを再選択するように構成され、前記送信機は、少なくとも１つの物理レイヤ識別子を備える登録メッセージを送信するようにさらに構成される、請求項１に記載の装置。
【請求項８】
通信の方法であって、
物理レイヤ識別子のスーパーセットの異なるサブセットを連続的に受信することと、
前記異なるサブセットに基づいて前記物理レイヤ識別子に対応するセルについての測定を連続的に行うことと、
測定されたセルの物理レイヤ識別子を識別する測定報告メッセージを送信することと、
前記測定報告メッセージに少なくとも部分的に基づいて維持されるネイバーセルリストを受信することと
を備える、方法。
【請求項９】
前記測定報告メッセージを送信するように要求し、検出セット報告が使用可能であることを示す少なくとも１つのメッセージを受信することをさらに備える、請求項８に記載の方法。
【請求項１０】
測定報告メッセージを要求する少なくとも１つのメッセージを受信することをさらに備え、前記少なくとも１つのメッセージは、探索されるべき物理レイヤ識別子のセットを指定する、請求項８に記載の方法。
【請求項１１】
前記物理レイヤ識別子のスーパーセットの前記異なるサブセットは、複数のサブセットに含まれる少なくとも１つの物理レイヤ識別子を備える、請求項８に記載の方法。
【請求項１２】
前記物理レイヤ識別子がどのように優先度を付けられるかについての指示を前記異なるサブセットの各サブセットとともに受信することをさらに備える、請求項８に記載の方法。
【請求項１３】
前記異なるサブセットの各々における前記物理レイヤ識別子は、
前記物理レイヤ識別子に関連する経路損失、
前記物理レイヤ識別子に関連するセルにおけるアイドル状態のアクセス端末の登録、
前記物理レイヤ識別子に関連するハンドオーバ中に生成されたイベントからの情報、および
前記物理レイヤ識別子がどのくらい頻繁に報告されるか、
のうちの少なくとも１つに基づいて優先度を付けられる、請求項１２に記載の方法。
【請求項１４】
アクセスポイントを再選択することと、
少なくとも１つの物理レイヤ識別子を備える登録メッセージを送信することとをさらに備える、請求項８に記載の方法。
【請求項１５】
通信のための装置であって、
物理レイヤ識別子のスーパーセットの異なるサブセットを連続的に受信するための手段と、
前記異なるサブセットに基づいて前記物理レイヤ識別子に対応するセルについての測定を連続的に行うための手段と、
測定されたセルの物理レイヤ識別子を識別する測定報告メッセージを送信するための手段と、
前記測定報告メッセージに少なくとも部分的に基づいて維持されるネイバーセルリストを受信するための手段とを備える、装置。
【請求項１６】
前記測定報告メッセージを送信するように要求し、検出セット報告が使用可能であることを示す少なくとも１つのメッセージを受信するための手段をさらに備える、請求項１５に記載の装置。
【請求項１７】
測定報告メッセージを要求する少なくとも１つのメッセージを受信するための手段をさらに備え、前記少なくとも１つのメッセージは、探索されるべき物理レイヤ識別子のセットを指定する、請求項１５に記載の装置。
【請求項１８】
前記物理レイヤ識別子のスーパーセットの前記異なるサブセットは、複数のサブセットに含まれる少なくとも１つの物理レイヤ識別子を備える、請求項１５に記載の装置。
【請求項１９】
前記物理レイヤ識別子がどのように優先度を付けられるかについての指示を前記異なるサブセットの各サブセットとともに受信するための手段をさらに備える、請求項１５に記載の装置。
【請求項２０】
前記異なるサブセットの各々における前記物理レイヤ識別子は、
前記物理レイヤ識別子に関連する経路損失、
前記物理レイヤ識別子に関連するセルにおけるアイドル状態のアクセス端末の登録、
前記物理レイヤ識別子に関連するハンドオーバ中に生成されたイベントからの情報、および
前記物理レイヤ識別子がどのくらい頻繁に報告されるか、
のうちの少なくとも１つに基づいて優先度を付けられる、請求項１９に記載の装置。
【請求項２１】
アクセスポイントを再選択するための手段と、
少なくとも１つの物理レイヤ識別子を備える登録メッセージを送信するための手段とをさらに備える、請求項１５に記載の装置。
【請求項２２】
コンピュータに、
物理レイヤ識別子のスーパーセットの異なるサブセットを連続的に受信する手順と、
前記異なるサブセットに基づいて前記物理レイヤ識別子に対応するセルについての測定を連続的に行う手順と、
測定されたセルの物理レイヤ識別子を識別する測定報告メッセージを送信する手順と、
前記測定報告メッセージに少なくとも部分的に基づいて維持されるネイバーセルリストを受信する手順と
を実行させるプログラム。
【請求項２３】
前記プログラムは、前記コンピュータに、前記測定報告メッセージを送信するように要求し、検出セット報告が使用可能であることを示す少なくとも１つのメッセージを受信する手順をさらに実行させる、請求項２２に記載のプログラム。
【請求項２４】
前記プログラムは、前記コンピュータに、測定報告メッセージを要求する少なくとも１つのメッセージを受信する手順をさらに実行させ、前記少なくとも１つのメッセージは、探索されるべき物理レイヤ識別子のセットを指定する、請求項２２に記載のプログラム。
【請求項２５】
前記物理レイヤ識別子のスーパーセットの前記異なるサブセットは、複数のサブセットに含まれる少なくとも１つの物理レイヤ識別子を備える、請求項２２に記載のプログラム。
【請求項２６】
前記プログラムは、前記コンピュータに、前記物理レイヤ識別子がどのように優先度を付けられるかについての指示を前記異なるサブセットの各サブセットとともに受信する手順をさらに実行させる、請求項２２に記載のプログラム。
【請求項２７】
前記異なるサブセットの各々における前記物理レイヤ識別子は、
前記物理レイヤ識別子に関連する経路損失、
前記物理レイヤ識別子に関連するセルにおけるアイドル状態のアクセス端末の登録、
前記物理レイヤ識別子に関連するハンドオーバ中に生成されたイベントからの情報、および
前記物理レイヤ識別子がどのくらい頻繁に報告されるか、
のうちの少なくとも１つに基づいて優先度を付けられる、請求項２６に記載のプログラム。
【請求項２８】
前記プログラムは、前記コンピュータに、
アクセスポイントを再選択する手順と、
少なくとも１つの物理レイヤ識別子を備える登録メッセージを送信する手順と
をさらに実行させる、請求項２２に記載のプログラム。
【発明の詳細な説明】
【技術分野】
【０００１】
優先権の主張
本出願は、その開示が参照により本明細書に組み込まれる、２０１１年３月２５日に出願され、弁理士整理番号第１１１３５８Ｐ１号を付与された、同一出願人が所有する米国仮特許出願第第６１／４６７，８４４号の利益および優先権を主張する。
【０００２】
本出願は、一般にワイヤレス通信に関し、より詳細には、限定はしないが、フェムトセルおよび他のアクセスポイントのためのネイバーセルリスト作成および管理に関する。
【背景技術】
【０００３】
ワイヤレス通信ネットワークは、画定された地理的エリア内のユーザに様々なタイプのサービス（たとえば、ボイス、データ、マルチメディアサービスなど）を提供するために、その地理的エリアにわたって展開され得る。典型的な実装形態では、ネットワークによってサービスされる地理的エリア内で動作しているアクセス端末（たとえば、セルフォン）にワイヤレス接続性を与えるために、（たとえば、各々が１つまたは複数のマクロセルに対応する）マクロアクセスポイントがネットワーク全体にわたって分散される。
【０００４】
マクロネットワーク展開は、その地理的エリアにわたって良好なカバレージを提供するように慎重に計画され、設計され、実装される。そのような慎重な計画の場合でも、しかしながら、そのような展開は、屋内および潜在的に他の環境において、経路損失、フェージング、マルチパス、シャドーイングなどのチャネル特性に完全に適応するとは限らない。したがって、マクロセルユーザは、屋内および他のロケーションにおいてカバレージ問題（たとえば、呼停止および品質劣化）に直面し、その結果、ユーザエクスペリエンスが不十分になり得る。
【０００５】
従来のネットワークアクセスポイント（たとえば、マクロアクセスポイント）を補い、性能を向上させるために、低電力アクセスポイントを展開して、アクセス端末に比較的小さいカバレージエリアにわたるカバレージを与え得る。たとえば、ユーザの自宅または企業環境（たとえば、商業建築物）中に設置された低電力アクセスポイントは、セルラー無線通信（たとえば、ＣＤＭＡ、ＷＣＤＭＡ（登録商標）、ＵＭＴＳ、ＬＴＥなど）をサポートするアクセス端末にボイスおよび高速データサービスを与え得る。
【０００６】
様々な実装形態では、低電力アクセスポイントは、たとえば、フェムトセル、フェムトアクセスポイント、ホームノードＢ、ホームｅノードＢ、アクセスポイント基地局、ピコセルなどと呼ばれることがある。いくつかの実装形態では、そのような低電力アクセスポイントは、デジタル加入者回線（ＤＳＬ）、ケーブルインターネットアクセス、Ｔ１／Ｔ３、または何らかの他の好適な接続手段を介してインターネットおよびモバイル事業者のネットワークに接続される。さらに、低電力アクセスポイントは、たとえば、基地送受信局（ＢＴＳ）技術、無線ネットワークコントローラ、およびゲートウェイサポートノードサービスなどの典型的な基地局機能を提供し得る。
【０００７】
実際には、フェムトセルは最小の計画で展開され得る。したがって、フェムトセルは、たとえば、周波数および物理レイヤ識別子（たとえば、プライマリスクランブリングコード（ＰＳＣ））などの利用可能な無線リソースを選定することに関して、およびネイバーセルを識別することに関して、自己構成および自己組織化が可能であることが望ましい。しかしながら、無計画展開でのフェムトセルにおいて正確なネイバーセルリスト（ＮＣＬ）を作成し、管理することは、比較的難しいタスクである傾向がある。マクロアクセスポイントとは対照的に、フェムトセル設置のロケーションは事業者にアプリオリに知られ得ない。さらに、フェムトセルは、それの動作寿命中に必ずしもロケーションが固定されているとは限らない。たとえば、フェムトセルは、企業において当初は窓の近くに設置され、後に干渉考慮事項により室内に移動されることがある。別の例として、アパートの一室に設置されたフェムトセルが、別の都市の別のアパートに搬送されることがある。フェムトセル設置のロケーションが異なると、周囲の無線周波数（ＲＦ）条件およびネイバーアクセスポイント（たとえば、マクロセル、ピコセルおよびフェムトセル）は異なる可能性があり、したがって、フェムトセルにおけるＮＣＬは再構成されるべきである。さらに、フェムトセルにおいて認知されるセルが、アクセス端末の様々なロケーションにおいてフェムトセルによってサービスされるアクセス端末によって認知されるセルとは異なり得る、ＲＦ不整合により、フェムトセルにおけるＮＣＬは、（たとえば、カバレージエリアの外部境界に近い条件の場合）十分に正確でないことがある。
【０００８】
フェムトセルにおいて、ＮＣＬが正しく構成されることは重要である。すなわち、（たとえば、周波数内、周波数間、およびＲＡＴ間のための）ＮＣＬは、すべての近くのアクセスポイント（マクロセル、ピコセル、およびフェムトセル）の物理レイヤ識別子を含んでいるべきである。
【０００９】
ＮＣＬの構成が不正確であると、アイドルおよびアクティブモードモビリティにおける性能が不十分になり得る。アクティブモビリティに関して、フェムトセルに接続され、フェムトセルカバレージエリアの外側に移動しているアクセス端末は、ハンドオーバ障害および呼ドロップを経験する可能性がある。アイドルモビリティに関して、フェムトセルにキャンプオンし、フェムトセルカバレージの外側に移動しているアクセス端末は手短に言えば圏外になり得、その間、アクセス端末は、ネットワークからいかなるページをも受信することができない。
【００１０】
さらに、所望のフェムトセルカバレージエリア中での無線周波数（ＲＦ）干渉特性の正確な構成を与えるには、フェムトセルにおいて正しいＮＣＬを有する必要があり得る。ＮＣＬが不正確であると、所望のフェムトセルカバレージエリア中でのマクロセルＲＦ干渉特性の表現が不正確になり得る。これは、周囲のエリア中でマクロセルＲＦ干渉プロファイルを構築するためにアクセス端末報告に依拠するすべての方法に適用可能である。たとえば、フェムトセルダウンリンク送信電力較正アルゴリズム、フェムトセルアクセス端末送信電力レベルをキャッピングすることによってマクロセルへのアップリンク干渉を制限するアルゴリズムなどにおいて、マクロセルＲＦ情報が使用される。
【発明の概要】
【００１１】
本開示のいくつかの例示的な態様の概要について以下で説明する。本概要は、読者の便宜のために与えられるものであり、本開示の幅を完全に定義するとは限らない。便宜上、本明細書では、本開示の単一の態様または複数の態様を指すために、いくつかの態様という用語を使用することがある。
【００１２】
本開示は、いくつかの態様では、低電力アクセスポイント（たとえば、フェムトセル）または他のタイプのアクセスポイントのためのネイバーセルリスト（ＮＣＬ）を維持することに関する。所与のアクセスポイントのためのＮＣＬは、概して、最低でも、アクセスポイントの近くにある各ネイバーアクセスポイントに関連する物理レイヤ識別子（たとえば、ＵＭＴＳにおけるプライマリスクランブリングコード）を含む。
【００１３】
本開示は、いくつかの態様では、アクセス端末（たとえば、ＵＥ、モバイルなど）から受信した測定報告に基づいてアクセスポイントのためのＮＣＬ維持すること（たとえば、作成し、管理すること）に関する。たとえば、アクセスポイントは、近くのセルについて測定を行うためにアクセスポイントによってサービスされているアクセス端末をプロビジョニングし得る。アクセス端末から測定報告メッセージを受信すると、アクセスポイントは、メッセージが、アクセスポイントの現在のＮＣＬ中にない物理レイヤ識別子を識別する（たとえば、含む）かどうかを判断する。メッセージがそのような物理レイヤ識別子を識別する場合、アクセスポイントは、その物理レイヤ識別子をＮＣＬに追加し、そのセルに関連するセル識別子を判断するためのアクションをとり得る（たとえば、適切なサーバと通信する）。逆に、メッセージがそのような物理レイヤ識別子を識別しない場合、アクセスポイントは、存在する場合その物理レイヤ識別子をＮＣＬから除去し得る。
【００１４】
それに応じて、いくつかの態様では、本明細書の教示に従って実装される通信方式は、以下の機能を伴い得る。（１つまたは複数の）アクセス端末によって検出されたセルの物理レイヤ識別子を報告するために、少なくとも１つのアクセス端末がプロビジョニングされる。プロビジョニングの結果としてフェムトセルにおいて測定報告メッセージが受信され、測定報告メッセージは、（１つまたは複数の）アクセス端末によって検出されたセルの物理レイヤ識別子を識別する。受信された測定報告メッセージに基づいてフェムトセルのためのネイバーセルリストが維持される。得られたネイバーセルリストは、次いで、近くのアクセス端末が（たとえば、モビリティ動作および／または他の動作のために）ネイバーセルリストを使用し得るように、フェムトセルによってブロードキャストされる。
【００１５】
アクセスポイントは、様々な方法で測定を行い、測定報告を送るためにアクセス端末をプロビジョニングし得る。いくつかの実施形態では、アクセスポイントは、アクセス端末が（たとえば、アクセスポイントの広告されたＮＣＬ中にない物理レイヤ識別子を含む）周波数内測定の結果を報告するように、専用セット報告を使用可能にする。別の例として、アクセスポイントは、アクセス端末が、指定された物理レイヤ識別子についての周波数間および／またはＲＡＴ間測定を行うことを要求し得る。ここで、アクセスポイントは、（たとえば、５１２個のＰＳＣを備える）物理レイヤ識別子の定義されたスーパーセットの全部または一部分にわたって（たとえば、３２個のＰＳＣのサブセットを使用して）一度に１つのサブセットを巡回し得る。
【００１６】
本開示は、いくつかの態様では、探索されるべき物理レイヤ識別子に優先度を付けることに関する。たとえば、探索されるべき特定の物理レイヤ識別子（たとえば、３２個のＰＳＣのセット）は、識別子の優先度付けに基づいて選択され得る。別の例として、フェムトセルは、アクセス端末がそれらの識別子をある順序で探索するように、所与のセットの識別子に優先度を付け得る。
【００１７】
いくつかの実施形態では、ＮＣＬは、アクセスポイントに登録するアクセス端末から受信した物理レイヤ識別子情報に基づいて維持される。たとえば、アクセス端末からの登録メッセージによって識別された物理レイヤ識別子は、ＮＣＬに追加され得る。
【００１８】
いくつかの実施形態では、ＮＣＬは、ネットワークリッスン動作を介して受信した物理レイヤ識別子情報に基づいて維持される。たとえば、アクセスポイントのネットワークリッスンモジュール（ＮＬＭ）は、ネイバーアクセスポイントによって送信された信号からネイバーアクセスポイントの物理レイヤ識別子を検出し得る。この場合、アクセスポイントは、検出された物理レイヤ識別子をＮＣＬに追加し得る。別の例として、ＮＬＭは、ネイバーアクセスポイントによってブロードキャストされたシステム情報を復号し得、システム情報はネイバーアクセスポイントのためのＮＣＬを含む。この場合、アクセスポイントは、受信したＮＣＬからの物理レイヤ識別子をアクセスポイントのＮＣＬに追加し得る。
【００１９】
いくつかの実施形態では、ＮＣＬは、コロケートセルに関する情報に基づいて維持される。たとえば、コロケートセルのセットは、第１の周波数上の第１のセルと第２の周波数上の第２のセルとを伴い得、両方のセルは、同じ物理レイヤ識別子を採用する（同等のカバレージを有し得る）。したがって、第１のセルの物理レイヤ識別子が（第１の周波数のための）ＮＣＬ中にある場合、物理レイヤ識別子が第２の周波数上で同様に検出可能である可能性があるので、アクセスポイントは、その物理レイヤ識別子を（第２の周波数のための）ＮＣＬに追加し得る。
【００２０】
いくつかの実施形態では、ＮＣＬは、ネットワークエンティティから受信した物理レイヤ識別子情報に基づいて維持される。たとえば、アクセスポイントは、ネットワークエンティティにアクセスポイントに関連する識別子（たとえば、ＧＰＳ座標、物理レイヤ識別子など）を送り得、ネットワークエンティティは、アクセスポイントの近傍にあるアクセスポイントに対応する物理レイヤ識別子のリストで応答し得る。アクセスポイントは、次いで、アクセスポイントのＮＣＬにネットワークエンティティから受信した物理レイヤ識別子を追加し得る。
【図面の簡単な説明】
【００２１】
本開示のこれらおよび他の例示的な態様について、以下の詳細な説明および特許請求の範囲、ならびに添付の図面において説明する。
【図１】アクセスポイントのためのＮＣＬが維持される通信システムのいくつかの例示的な態様の簡略ブロック図。
【図２】ＮＣＬを維持するために実行され得る動作のいくつかの例示的な態様のフローチャート。
【図３】ＮＣＬを維持することと連携して実行され得る動作のいくつかの例示的な態様のフローチャート。
【図４】周波数内測定報告に基づいてＮＣＬを維持するために実行され得る動作のいくつかの例示的な態様のフローチャート。
【図５】周波数間および／またはＲＡＴ間測定報告に基づいてＮＣＬを維持するために実行され得る動作のいくつかの例示的な態様のフローチャート。
【図６】アクセスポイントからのシグナリングに基づいてＮＣＬを維持するために実行され得る動作のいくつかの例示的な態様のフローチャート。
【図７】アクセス端末登録に基づいてＮＣＬを維持するために実行され得る動作のいくつかの例示的な態様のフローチャート。
【図８】コロケートセル情報に基づいてＮＣＬを維持するために実行され得る動作のいくつかの例示的な態様のフローチャート。
【図９】ネットワークエンティティからの情報に基づいてＮＣＬを維持するために実行され得る動作のいくつかの例示的な態様のフローチャート。
【図１０】通信ノードにおいて採用され得る構成要素のいくつかの例示的な態様の簡略ブロック図。
【図１１】ワイヤレス通信システムの簡略図。
【図１２】フェムトノードを含むワイヤレス通信システムの簡略図。
【図１３】ワイヤレス通信のためのカバレージエリアを示す簡略図。
【図１４】通信構成要素のいくつかの例示的な態様の簡略ブロック図。
【図１５】本明細書で教示する、ＮＣＬを維持するように構成された装置のいくつかの例示的な態様の簡略ブロック図。
【図１６】本明細書で教示する、ＮＣＬを維持するように構成された装置のいくつかの例示的な態様の簡略ブロック図。
【００２２】
慣例により、図面に示す様々な特徴は一定の縮尺で描かれていないことがある。したがって、様々な特徴の寸法は、分かりやすいように任意に拡大または縮小されることがある。さらに、図面のいくつかは、分かりやすいように簡略化されることがある。したがって、図面は、所与の装置（たとえば、デバイス）または方法の構成要素のすべてを示しているとは限らないことがある。最後に、明細書および図の全体にわたって同様の特徴を示すために同様の参照番号が使用されることがある。
【発明を実施するための形態】
【００２３】
本開示の様々な態様について以下で説明する。本明細書の教示は多種多様な形態で実施され得、本明細書で開示されている特定の構造、機能、またはその両方は代表的なものにすぎないことは明らかであろう。本明細書の教示に基づいて、本明細書で開示する態様は他の態様とは無関係に実装され得ること、およびこれらの態様のうちの２つ以上は様々な方法で組み合わせられ得ることを、当業者なら諒解されたい。たとえば、本明細書に記載の態様をいくつ使用しても、装置は実装され得、または方法は実施され得る。さらに、本明細書に記載の態様のうちの１つまたは複数に加えて、あるいはそれら以外の他の構造、機能、または構造および機能を使用して、そのような装置を実装し得るか、またはそのような方法を実施し得る。さらに、態様は、請求項の少なくとも１つの要素を備え得る。
【００２４】
図１に、例示的な通信システム１００（たとえば、ワイヤレス通信ネットワーク）のいくつかのノードを示す。説明のために、本開示の様々な態様について、互いに通信する１つまたは複数のアクセス端末、アクセスポイント、およびネットワークエンティティの文脈で説明する。ただし、本明細書の教示は、他の用語を使用して参照される他のタイプの装置または他の同様の装置に適用可能であり得ることを諒解されたい。たとえば、様々な実装形態では、アクセスポイントは、基地局、ノードＢ、ｅノードＢ、ホームノードＢ、ホームｅノードＢ、マクロセル、フェムトセルなどと呼ばれることがあり、または基地局、ノードＢ、ｅノードＢ、ホームノードＢ、ホームｅノードＢ、マクロセル、フェムトセルなどとして実装されることがあり、アクセス端末は、ユーザ機器（ＵＥ）、モバイルなどと呼ばれることがあり、またはユーザ機器（ＵＥ）、モバイルなどとして実装されることがある。
【００２５】
システム１００中のアクセスポイントは、システム１００のカバレージエリア内に設置され得るか、またはシステム１００のカバレージエリア全体にわたってローミングし得る、１つまたは複数のワイヤレス端末（たとえば、アクセス端末１０２および１０４）に１つまたは複数のサービスへのアクセス（たとえば、ネットワーク接続性）を与える。たとえば、様々な時点で、アクセス端末１０２は、アクセスポイント１０６、アクセスポイント１０８、アクセスポイント１１０、アクセスポイント１１２、またはシステム１００中の何らかのアクセスポイント（図示せず）に接続し得る。同様に、様々な時点で、アクセス端末１０４は、これらのアクセスポイントのうちのいずれかに接続し得る。
【００２６】
図１に示すアクセスポイントは、異なる周波数および／または異なる無線アクセス技術（ＲＡＴ）を採用し得る。たとえば、アクセスポイント１０６に対して、アクセスポイント１０８は周波数内である（たとえば、同じキャリア周波数上で動作する）。アクセスポイント１０６に対して、アクセスポイント１１０は周波数間である（たとえば、異なるキャリア周波数上で動作する）。アクセスポイント１０６に対して、アクセスポイント１１２はＲＡＴ間である（たとえば、異なるＲＡＴを採用する）。
【００２７】
回線１３２および１３４によって簡略化された方法で表されるように、アクセスポイントの各々は、ワイドエリアネットワーク接続性を可能にするために、互いを含む、（便宜上、ネットワークエンティティ１１４によって表される）１つまたは複数のネットワークエンティティと通信し得る。これらのネットワークエンティティは、たとえば、１つまたは複数の無線および／またはコアネットワークエンティティなどの様々な形態をとり得る。したがって、様々な実装形態では、ネットワークエンティティは、（たとえば、運用、アドミニストレーション、管理、およびプロビジョニングエンティティによる）ネットワーク管理、呼制御、セッション管理、モビリティ管理、ゲートウェイ機能、インターワーキング機能、無線リソース管理、または何らかの他の好適なネットワーク機能のうちの少なくとも１つなどの機能を表し得る。また、これらのネットワークエンティティのうちの２つ以上がコロケートされ得、および／またはこれらのネットワークエンティティのうちの２つ以上がネットワーク全体にわたって分散され得る。他のネットワークエンティティ（たとえば、ＲＡＴ内および／またはＲＡＴ間）と通信するために、所与のネットワークエンティティによって様々な通信技術が採用され得る。さらに、ネットワークエンティティは、セッション開始プロトコル（ＳＩＰ）ベースの回線交換ネットワーク、インターオペラビリティ仕様（ＩＯＳ）ベースの回線交換ネットワーク、パケット交換ネットワーク、または何らかの他の好適なワイヤレス通信ネットワークの一部を備え得る。
【００２８】
システム１００中のアクセスポイントのいくつか（たとえば、アクセスポイント１０６および１０８）は、低電力アクセスポイントを備え得る。低電力アクセスポイントは、所与のカバレージエリア中のどのマクロアクセスポイントの最大送信電力よりも（たとえば、一桁だけ）小さい最大送信電力を有することになる。いくつかの実施形態では、フェムトセルなどの低電力アクセスポイントは、２０ｄＢｍ以下の最大送信電力を有し得る。いくつかの実施形態では、ピコセルなどの低電力アクセスポイントは、２４ｄＢｍ以下の最大送信電力を有し得る。対照的に、マクロセルは、４３ｄＢｍの最大送信電力を有し得る。ただし、これらまたは他のタイプの低電力アクセスポイントが、他の実施形態では、より高いまたはより低い最大送信電力を有し得ることを諒解されたい。便宜上、以下の説明では、低電力アクセスポイントをフェムトセルまたはフェムトアクセスポイントと呼ぶことがある。したがって、本明細書でのフェムトセルまたはフェムトアクセスポイントに関係するいかなる説明も、概して、低電力アクセスポイントまたは他のタイプのアクセスポイントに等しく適用可能であり得ることを諒解されたい。
【００２９】
上述のように、フェムトセルに正確なＮＣＬを与えることは重要である。いくつかのシナリオでは（たとえば、建築物または他の構造物によって生じる妨害により）、アクセスポイント１０６は、ネイバーアクセスポイント（たとえば、アクセスポイント１０８〜１１２）からの無線信号を検出することができず、したがって、アクセスポイント１０６がそれ自体の検出能力のみに依拠する場合、アクセス端末（たとえば、アクセス端末１０２）のためのＮＣＬリストを正しくポピュレートすることができない。本開示は、特に、アクセスポイント１０６（または他のアクセスポイント）が、ブロッキング、隠れノード問題、または他の受信制限に起因する、ネイバーアクセスポイントを検出するアクセスポイントの能力の欠如を埋め合わせるための方法を提供する。
【００３０】
いくつかの態様では、アクセスポイント（たとえば、フェムトセル、ピコセルまたはマクロセル）のためのネイバーセルリストを構成し、管理するためにフレームワークが与えられる。例示的な実装形態では、ネイバーセルリスト（ＮＣＬ）は、事業者に割り振られた周波数で動作している（たとえば、周波数内、周波数間、およびＲＡＴ間）ネイバーアクセスポイントのプライマリスクランブリングコード（ＰＳＣ）からなる。本開示は、いくつかの態様では、アクティブおよびアイドルモビリティならびに干渉管理を可能にするために、アクセスポイントがＮＣＬを自己構築し、正しく管理することを可能にすることに関する。
【００３１】
図１の例では、アクセスポイント１０６は、アクセスポイント１０６のためのＮＣＬ１１８を維持するためのＮＣＬ管理機能１１６を含む。アクセスポイント１０６の近傍にあるアクセス端末（たとえば、アクセス端末１０２および１０４）がそれぞれハンドオーバ、再選択、または他の目的のためのＮＣＬ（たとえば、それぞれＮＣＬ１２４および１２６）の記録を維持し得るように、アクセスポイント１０６はＮＣＬ１１８の物理レイヤ識別子をブロードキャストする。
【００３２】
ＮＣＬ１１８を維持するために、アクセスポイント１０６は、アクセスポイント１０６によってサービスされているアクセス端末（たとえば、アクセス端末１０２）にプロビジョニングメッセージを送信する。プロビジョニングメッセージは、周波数内、周波数間、またはＲＡＴ間測定を行うようにアクセス端末に命令する。たとえば、アクセス端末は、近くのアクセスポイント（たとえば、ネイバーアクセスポイント１０８〜１１２）からのメッセージを検出し、これらの信号から物理レイヤ識別子情報を導出し、（たとえば、測定報告メッセージ（ＭＲＭ）を介して）測定の結果をアクセスポイント１０６に返報し得る。場合によっては、アクセス端末は、所与のネイバーアクセスポイントによってブロードキャストされたシステム情報（システムインフォ）を復号し、システム情報は、そのネイバーアクセスポイントのためのＮＣＬを含む。他の場合には、アクセス端末は、ネイバーアクセスポイントによってブロードキャストされた物理レイヤ識別子（ＰＬＩ）を検出する。
【００３３】
いくつかの実施形態では、アクセスポイント１０６は、ネットワークリッスン動作に基づいてＮＣＬ１１８を維持するための機能を含む。たとえば、アクセスポイント１０６は、近くのアクセスポイント（たとえば、ネイバーアクセスポイント１０８〜１１２）から信号を受信するネットワークリッスンモジュール（ＮＬＭ）１２８を含み得る。このようにして、アクセスポイント１０６は、これらのアクセスポイントのＰＬＩまたはＮＣＬを直接収集し得る。
【００３４】
いくつかの実施形態では、アクセスポイント１０６は、コロケートセル情報１３０に基づいてＮＣＬ１１８を維持するための機能を含む。たとえば、アクセスポイント１０６は、メモリ構成要素中にコロケートセル情報１３０を維持し、この情報を使用して、ＮＣＬ１１８中にコロケートセルの物理レイヤ識別子を含めるべきかどうかを判断し得る。
【００３５】
いくつかの実施形態では、ＮＣＬ管理機能１１６は、アクセス端末がアクセスポイント１０６を再選択するときに生じる登録に基づいて、ＮＣＬ１１８を維持する。たとえば、そのような再選択とともに、アクセス端末（たとえば、アクセス端末１０４）は、アクセスポイント１０６に登録メッセージを送り得、登録メッセージは、アクセス端末によって検出された１つまたは複数の物理レイヤ識別子を含む。したがって、ＮＣＬ管理機能１１６は、これらの物理レイヤ識別子をＮＣＬ１１８に追加し得る。
【００３６】
いくつかの実施形態では、ＮＣＬ管理機能１１６は、ＮＣＬ管理機能１２０によって維持される物理レイヤ識別子情報を収集するために、ネットワークエンティティ１１４のＮＣＬ管理機能１２０と協働する。たとえば、いくつかの実施形態では、ＮＣＬ管理機能１１６は、アクセスポイント１０６に関連する識別子（たとえば、ＧＰＳ座標、ＰＳＣなど）をＮＣＬ管理機能１２０に送る。この識別子に基づいて、ＮＣＬ管理機能１２０は、（たとえば、定義された地理的エリア内、定義された距離内、ロケーションエリア内、ルーティングエリア内、定義された数のネットワークホップ内などの）アクセスポイント１０６に関連する近傍にあるアクセスポイントを識別する（たとえば、アクセスポイントのセルを識別する）。ＮＣＬ管理機能１２０は、次いで、識別されたアクセスポイントに関連する物理レイヤ識別子（たとえば、アクセスポイントの物理レイヤ識別子および／またはＮＣＬ）をＮＣＬ管理機能１１６に送る。このようにして、ネットワークによって維持される物理レイヤ識別子情報がＮＣＬ１１８に追加され得る。
【００３７】
いくつかの実施形態では、ネットワークエンティティ１１４のＮＣＬ管理機能１２０は、アクセスポイント１０６のためにＮＣＬ１２２を維持する。たとえば、アクセスポイント１０６に受信した物理レイヤ識別子情報を処理させるのではなく、アクセスポイント１０６は、この情報をネットワークエンティティ１１４に転送し得る。したがって、ＮＣＬ管理機能１２０は、この情報に基づいてＮＣＬ１２２を生成し、得られたＮＣＬをアクセスポイント１０６に送り得る。
【００３８】
次に、システム１００の例示的な動作について、図２のフローチャートに関連してより詳細に説明する。
【００３９】
ブロック２０２および２０４は、周波数内測定から物理レイヤ識別子を収集することに関係する。ブロック２０２によって表されるように、アクセスポイントによってサービスされている１つまたは複数のアクセス端末に、周波数内測定を要求する１つまたは複数のメッセージを送る。ブロック２０４によって表されるように、ブロック２０２の（１つまたは複数の）メッセージを送ることの結果として、周波数内測定報告を受信する。
【００４０】
ブロック２０６〜２１４は、周波数間および／またはＲＡＴ間測定から物理レイヤ識別子を収集することに関係する。上記で説明したように、この方式は、スーパーセットのどの物理レイヤ識別子（たとえば、ネットワークのために定義された全５１２個のＰＳＣ、またはこれらのＰＳＣのサブセット）をＮＣＬ中に含めるかを最終的に判断するために、物理レイヤ識別子の異なるサブセット（たとえば、それぞれ３２個のＰＳＣ）を巡回することを伴う。
【００４１】
ブロック２０６によって表されるように、物理レイヤ識別子スーパーセットを周波数間および／またはＲＡＴ間測定のためのサブセットに区分する。区分は様々な方法で達成され得る。いくつかの実施形態では、サブセットは、単純な順序（たとえば、１〜３２、３３〜６４など）で定義される。
【００４２】
いくつかの実施形態では、物理レイヤ識別子は（たとえば、以下で説明するように）優先度を付けられ、この優先度付けに基づいてサブセットが定義される。たとえば、最高優先度をもつ物理レイヤ識別子は、アクセス端末に最初に送られるサブセット中に含まれ得る。別の例として、高い優先度の１つまたは複数の物理レイヤ識別子が、２つ以上（たとえば、すべて）のサブセット中に含まれ得る。このようにして、対応するセルは、（たとえば、アクセス端末のハンドオーバのためにセルが利用可能であることを確実にするために）より頻繁に測定される。
【００４３】
いくつかの実施形態では、所与のサブセット内の物理レイヤ識別子は優先度を付けられる。このようにして、最高優先度セルが最初に測定される。たとえば、最高優先度を有する物理レイヤ識別子は、サブセットの第１のメンバー（たとえば、位置１、２、３など）を備え得る。そのような場合、アクセス端末は、サブセットの第１のメンバーを最初に測定するように構成され得る。別の例として、優先度の指示が、測定を行うアクセス端末にサブセットとともに送られ得る。この場合、アクセス端末は、優先度指示によって指定された順序で測定を行うように構成され得る。
【００４４】
ブロック２０８〜２１４は、サブセットを一度に１つ巡回することに関与する。このようにして、スーパーセットの物理レイヤ識別子のすべてが、それらがＮＣＬ中に含まれるべきかどうかを判断するために、順に検査される。
【００４５】
ブロック２０８によって表されるように、サブセットのうちの１つを選択する。たとえば、上記で説明したように、サブセットは、定義された順序で選択され得る。
【００４６】
ブロック２１０によって表されるように、１つまたは複数のアクセス端末に、サブセットについての測定を要求するメッセージを送る。このメッセージは、一般に、サブセットを含む（すなわち、サブセットの物理レイヤ識別子のすべてを含む）。本明細書で説明するように、場合によっては、そのようなメッセージは周波数間測定を要求し得る。それに応じて、メッセージはまた、測定されるべき周波数を指定し得る。さらに、場合によっては、そのようなメッセージはＲＡＴ間測定を要求し得る。したがって、メッセージはまた、測定のために使用されるべきＲＡＴを指定し得る。
【００４７】
ブロック２１２によって表されるように、ブロック２１０において（１つまたは複数の）メッセージを送った結果として、測定報告を受信する。ブロック２１４によって表されるように、サブセットのすべてを検査するまで、各連続するサブセットに対してブロック２０８〜２１２の動作を繰り返す。
【００４８】
ブロック２１６によって表されるように、様々な実施形態では、１つまたは複数の他のソースを介して物理レイヤ識別子を取得する。たとえば、上記で説明したように、ネットワークリッスンモジュールを介して、コロケートセル情報の使用によって、登録メッセージを介して、ネットワークエンティティを介してなど、物理レイヤ識別子が取得され得る。
【００４９】
ブロック２１８によって表されるように、前のブロックの動作を介して取得した情報のすべてに基づいてＮＣＬを更新する。すなわち、ＮＣＬは、周波数内測定、周波数間測定、ＲＡＴ間測定、ネットワークリッスンモジュール測定、登録情報、コロケートセル情報、ネットワークエンティティ情報などのうちの１つまたは複数に基づいて更新され得る。
【００５０】
図２の動作は、異なる実施形態では、異なるエンティティによって実行され得る。いくつかの実施形態では、これらの動作は、ＮＣＬがそれのために維持されているアクセスポイントによって実行される。この場合、アクセスポイントは、メッセージを生成し、（たとえば、アクセスポイントによってサービスされているアクセス端末にメッセージを送信することによって、またはネットワークエンティティにメッセージを送ることによって）適切な宛先にメッセージを送る。さらに、アクセスポイントは、ＮＣＬを維持するために、（たとえば、アクセス端末またはネットワークエンティティから）受信したメッセージを処理する。
【００５１】
他の実施形態では、図２の動作は、アクセスポイントのためのＮＣＬを維持し、更新されたＮＣＬをアクセスポイントに送るネットワークエンティティによって実行される。この場合、ネットワークエンティティは、メッセージを生成し、アクセスポイントにメッセージを送る。アクセスポイントは、次に、アクセスポイントによってサービスされている１つまたは複数のアクセス端末に、メッセージを転送するか、または受信したメッセージに基づくメッセージを送信する。さらに、アクセスポイントは、ネットワークエンティティがこの情報に基づいてＮＣＬを維持することを可能にするために、受信した情報（たとえば、測定報告メッセージからの情報）をネットワークエンティティに転送する。
【００５２】
上記の概観を念頭において、次に、ＮＣＬ維持のいくつかの例をより詳細に説明する。説明のために、この例については、ＵＭＴＳシステムの文脈で説明する。しかしながら、本明細書の教示は、他のタイプのワイヤレス通信システム（たとえば、ＧＳＭ（登録商標）、ＬＴＥ、ｃｄｍａ２０００など）において採用され得ることを諒解されたい。
【００５３】
本開示は、ある態様では、ＮＣＬの作成および管理に関する。以下の例では、ＮＣＬの作成は、候補ＰＳＣのセットを生成することを含む。
【００５４】
いくつかの実施形態では、ＮＣＬ管理方法は、ＮＣＬのサイズを制限することを伴う。たとえば、候補ＰＳＣセットの長さが制限され得る（たとえば、いくつかの現在の規格は、ＮＣＬのサイズを３２個以下に制限する）。したがって、最初に作成されたＰＳＣセットが、指定されたサイズよりも大きい（たとえば、３２個のＰＳＣよりも大きい）場合、リストはプルーニングされる。
【００５５】
本開示は、いくつかの態様では、モバイルエンティティ（たとえば、ＵＥ）に送信するための、判断されたＰＳＣをもつ一時的ＮＣＬを作成することに関する。これは、一時的ＮＣＬの異なるバージョンを与えるために一時的ＮＣＬのためのＰＳＣを判断することを含み得、各バージョンは、すべての利用可能なＰＳＣの定義されたセットよりも小さいＰＳＣの異なるサブセット（すなわち、上記のサブセット参照）を備え、たとえば、５１２個の可能なＰＳＣにわたって一度に３２個のサブセットを巡回する。本方法は、サービングセルと通信するためのモバイルエンティティによって使用されないワイヤレス周波数上のすべての利用可能なＰＳＣの定義されたセットのいずれか１つを使用して、すべての検出可能なネイバーセルのモバイルエンティティによる検出を引き起こすために、それぞれの異なる時間における一時的ＮＣＬの異なるバージョンをモバイルエンティティに送信することをさらに含み得る。言い換えれば、移動局が周波数間セルを検出することを可能にするために、異なるＮＣＬバージョンを送信することが実行され得る。また、いくつかの実施形態では、そのような方式が周波数内測定のために採用され得ることを諒解されたい。
【００５６】
本開示は、いくつかの態様では、周波数内セルと周波数間セルの両方のために、ＮＣＬ内のＰＳＣをランク付けすること（または好適なＰＳＣセットを作成すること）に関する。たとえば、モバイルエンティティモビリティ管理において使用するためのネイバーセルの選好の順序を示すために、ＮＣＬ中のＰＳＣがランク付けされ得る。より低いランクを付けられたＰＳＣは、定義されたメンバーシップしきい値内にＮＣＬを維持するために、リストから除去され得る。したがって、ＮＣＬは、最も高いランクを付けられたＰＳＣのみを含んでいることになる。
【００５７】
いくつかの態様では、優先度付け方法は、それぞれの関連するネイバーセルのための信号品質インジケータに基づいてＰＳＣをスコアリングすることを含み得る。代替または追加として、ＰＳＣに優先度を付けることは、アイドルモバイルエンティティの登録に基づいてＰＳＣをスコアリングすることを含み得る。たとえば、スコアは、登録の累積カウントに比例して割り当てられ得る。代替または追加として、ＰＳＣに優先度を付けることは、ネイバーセルへのハンドオーバ中に生成されるイベントからの情報に基づいてＰＳＣをスコアリングすることを含み得る。そのようなハンドオーバイベントは、所与のセルに対するネイバーセルのアクティビティを示し得、したがってスコアリングに役立ち得る。代替または追加として、ＰＳＣに優先度を付けることは、セルのカバレージエリア中の１つまたは複数のモバイルエンティティから受信した測定報告メッセージ（ＭＲＭ）中で各ＰＳＣがどのくらい頻繁に報告されるかに基づいて、ＰＳＣをスコアリングすることを含み得る。スコアリングが実行されるときにどんな情報がすぐに利用可能であるかに基づいて、様々な代替が選択され得る。
【００５８】
本明細書で説明するように、アクティブおよびアイドルモビリティ管理の両方について、測定のためにＵＥにＰＳＣの正しいセットを与えることが重要である。測定または測定報告メッセージ（ＭＲＭ）に基づいて、ＵＥまたはフェムトセルは、本明細書で説明するように適切な行為をとり得る。このようにしてＵＥにＰＳＣの正確なリストを与えることによって、ハンドオーバ遅延が低減され得る。したがって、いくつかの態様では、本明細書で教示するＮＣＬ管理は、セルをランク付けする方法、ならびに／あるいはアイドルまたはアクティブＵＥのモビリティ管理および／または干渉管理のために使用され得るＰＳＣの好適なリストを作成する方法を採用し得る。
【００５９】
（たとえば、ＲＦブロッキング条件の下で）フェムトセルにおいて正確なＮＣＬを構築するために、以下の方法が使用され得る。ＮＣＬは、説明する方法の一方または両方、または方法の何らかの組合せを使用して構築され得る。説明する特定の方法は、単に例として与えられ、本明細書で説明する新規の特徴を説明する特定の例に限定するものとして理解されるべきでない。本方法は、フェムトセルまたは他の基地局によって無線レンジ内の１つまたは複数のモバイルエンティティと協働して実行され得る。代替また追加として、本方法のいくつかの態様をサポートまたは実行するために、いくつかの特徴が他のネットワークエンティティにおいて実装され得る。本明細書で使用する「周波数内」という用語は、フェムトセルによって使用されるのと同じＲＡＴ中であると仮定される、当該のフェムトセルによって使用されるのと同じであるネイバー周波数を指す。「周波数間」という用語は、コンテキストがそのような可能性を明確に除外しない限り、ＲＡＴ間周波数を含み得る、フェムトセルによって使用される周波数と同じでないネイバー周波数を指す。「ＲＡＴ間」という用語は、当該のフェムトセルによって使用されるのと同じでないネイバーＲＡＴを指す。
【００６０】
方法１
この方法は、フェムトセルにおいてＵＥから収集された測定報告メッセージを利用し、次のように要約され得る。
【００６１】
１．周波数内ＮＣＬ（たとえば、専用ＮＣＬまたは周波数内セルを対象とするＮＣＬの一部分）を構築するために、フェムトセルが、検出されたセルの周期的またはイベントベースの報告をプロビジョニングする。フェムトセルに接続されたＵＥから報告が収集される。
【００６２】
２．周波数間ＮＣＬ（たとえば、専用ＮＣＬまたは周波数間セルを対象とするＮＣＬの一部分）を構築するために、フェムトセルが、ＮＣＬ中に記載されたＰＳＣの報告をプロビジョニングする。すべての可能なＰＳＣ（たとえば、最大５１２個のＰＳＣ、場合によっては、ＰＳＣの１つまたは複数の範囲が、未使用であるべきであるとアプリオリに知られていることがある）をカバーするために、ＮＣＬ中に記載されたＰＳＣが巡回され得る。したがって、所与の時間において、フェムトセルは最高３２個のＰＳＣ（または何らかの他の適用可能な限度）の報告をプロビジョニングすることができる。以下で説明するアルゴリズムは、各サイクル中に測定すべき周波数間ＰＳＣを指定する。
【００６３】
３．周波数内および／または周波数間ＮＣＬを構築するために、フェムトセルはまた、ランダムアクセスチャネル（ＲＡＣＨ）上のセルの報告をプロビジョニングする。フェムトセルに登録するＵＥは、対応する信号測定値とともに、ＵＥが測定したＰＳＣを報告する。
【００６４】
４．上記のステップ１、２、および３で収集された情報に基づいて、フェムトセルＮＣＬが構築され、更新される。たとえば、ＮＣＬは、周波数内検出セルと、周波数内ＭＲＭと、周波数間ＭＲＭと、ＲＡＣＨ上のＵＥ登録（たとえば、登録イベントに関連するＲＡＣＨシグナリング）とのアグリゲーションに基づき得る。
【００６５】
学習段階がモビリティ管理上に及ぼし得る影響を低減するために以下の最適化が使用され得、（たとえば、ＮＬＭ、ホームノードＢ管理システム（ＨＭＳ）、または何らかの他のエンティティによって与えられた）アプリオリ情報に基づいて、学習段階中に数個のＰＳＣはより高いランクを付けられ得、たとえば、常に、ＵＥに与えられる候補リスト中に含まれ得る。たとえば、ＮＬＭまたはＨＭＳによってＮＣＬ中の最初の６つのＰＳＣが与えられ得、他のＰＳＣは、ＭＲＭを取得するために循環させられ得る。（たとえば、ＧＳＭネイバーセルのための）ＲＡＴ間ＮＣＬを構築するために、上記の方法１のステップ２と同様のステップがさらに使用され得る。上記のステップ４は、ＲＡＴ間ＮＣＬ構成のために使用され得る。
【００６６】
方法２
この方法は、ＮＬＭと、フェムトセルにおいてＵＥから収集された測定報告メッセージとに基づく。
【００６７】
１．フェムトセルは、周囲のノードＢからのシステム情報を復号するためにネットワークリッスンモジュール（ＮＬＭ）を採用する。ネットワークリッスンモジュール（ＮＬＭ）は、モバイル様の受信機能力を有するフェムトセルのサブシステムである。
【００６８】
ａ：マクロセルが検出された場合（たとえば、ブロードキャストチャネルを復号するのに十分高くない場合でも、ＣＰＩＣＨ  Ｅｃｐ／Ｉｏ＞検出しきい値）、ＮＣＬを構築するために各周波数上の検出されたＰＳＣ（ＰＳＣ内およびＰＳＣ間）情報が使用され得る。
【００６９】
ｂ：マクロセルが検出され、それらのブロードキャストチャネルが復号され得る場合、事業者にとって利用可能なすべての周波数上のすべての検出されたマクロセルから、ＮＬＭ情報が収集される。
【００７０】
２．さらに、フェムトセルはまた、アクティブなフェムトセルユーザからの測定報告メッセージと、（方法１において指定された）許可および制限されたアクセスユーザからのランダムアクセスチャネリング上の測定報告メッセージとに依拠し得る。
【００７１】
３．ステップ１および２において収集された情報に基づいて、フェムトセルＮＣＬが構築され、更新される。たとえば、ＮＣＬは、ＮＬＭ情報と、周波数内検出セルと、周波数内ＭＲＭと、周波数間ＭＲＭと、ＲＡＣＨ上のＵＥ登録とのアグリゲーションに基づき得る。
【００７２】
異なるＮＬＭ測定から（経時的に）取得された情報は組み合わせられ得る。（たとえば、ＧＳＭネイバーセルのための）ＲＡＴ間ＮＣＬを収集し、構築するために、方法２の１、２、および３と同様のステップも使用され得る。
【００７３】
示したように、方法２は、ネットワークリッスンモジュールと、フェムトセルにおいてＵＥから収集された測定報告メッセージとに依拠する。さらなる例として、この方法は、以下のような手順を含み得る。フェムトセルにおいてマクロセルが検出されない場合、事業者はフェムトセルのＧＰＳ座標を使用してＮＣＬをフェムトセルにプロビジョニングし得、および／または方法１において説明した他のステップが採用され得る。
【００７４】
逆に、フェムトセルにおいてマクロセルが検出されるが（たとえば、ＣＰＩＣＨ  Ｅｃ／Ｉｏ＞検出しきい値）、それらのブロードキャストチャネルが復号され得ない場合（たとえば、ＣＰＩＣＨ  Ｅｃ／Ｉｏ＜復号しきい値）、各周波数ｉに対して、以下の通りである。
【００７５】
ＮＣＬintra-frequency＝｛検出されたセルのリスト｝
ＮＣＬinter-frequency,i＝｛検出されたセルのリスト｝
ネットワークリッスンモジュール（ＮＬＭ）は周囲のノードＢからのシステム情報を復号すると仮定する。その場合、事業者にとって利用可能なすべての周波数上のセルからＳＩＢ１１情報が収集される。ＮＣＬintra-frequencyは、フェムトセル周波数中で検出されたセルの周波数内ＮＣＬ中に記載されたすべてのＰＳＣと、非フェムトセル周波数中で検出されたセルの、フェムトセル周波数に対応する周波数間ＮＣＬ中に記載されたすべてのＰＳＣとの和を示す。各非フェムトセル周波数ｉについて、ＮＣＬinter-frequency,iは、周波数ｉ中で検出されたセルの周波数内ＮＣＬ中に記載されたすべてのＰＳＣと、他の周波数（≠ｉ）中で検出されたセルの、周波数ｉに対応する、周波数間ＮＣＬ中に記載されたすべてのＰＳＣとの和を示す。
【００７６】
たとえば、周波数Ａ、ＢおよびＣのためのＮＬＭにおいて検出されたＰＳＣが、それぞれ１００、１０１、および１０２である場合。ＮＣＬA＝ＰＳＣの和｛Ｉｎｔｒａ＿ＮＣＬ＿１００，Ｉｎｔｅｒ＿ＮＣＬ＿１０１（周波数Ａに対応），Ｉｎｔｅｒ＿ＮＣＬ＿１０２（周波数Ａに対応）｝；ＮＣＬB＝ＰＳＣの和｛Ｉｎｔｅｒ＿ＮＣＬ＿１００（周波数Ｂに対応），Ｉｎｔｒａ＿ＮＣＬ＿１０１，Ｉｎｔｅｒ＿ＮＣＬ＿１０２（周波数Ｂに対応）｝；およびＮＣＬC＝ＰＳＣの和｛Ｉｎｔｅｒ＿ＮＣＬ＿１００（周波数Ｃに対応），Ｉｎｔｅｒ＿ＮＣＬ＿１０１（周波数Ｃに対応），Ｉｎｔｒａ＿ＮＣＬ＿１０２｝である。
【００７７】
さらに、フェムトセルはまた、アクティブなフェムトセルユーザからの測定報告メッセージと、許可および制限されたアクセスユーザからのランダムアクセスチャネル上の測定報告メッセージとに依拠し得る。フェムトセルＮＣＬは、ＮＬＭ情報、周波数内検出セル、周波数内ＭＲＭ、周波数間ＭＲＭ、またはＲＡＣＨ上のＵＥ登録のうちの１つまたは複数を含む上記のステップにおいて収集された情報に基づいて構築され得る。（たとえば、ＧＳＭネイバーのための）ＲＡＴ間ＮＣＬの構築は、適切な物理レイヤ識別子（たとえば、ブロードキャスト制御チャネル（ＢＣＣＨ）絶対無線周波数チャネル番号（ＡＲＦＣＮ））によって交換されるＰＳＣを用いて、ＮＣＬinter-frequency,iについての上記と同様の方法に従い得る。
【００７８】
上記の方法は、フェムトセルがそれのＧＰＳ座標、ＩＰアドレス、ＰＳＣ、近くのセルのセルＩＤ（利用可能な場合）をホームノードＢ管理システム（ＨＭＳ）に報告することと併せて使用され得る。その場合、ＨＭＳは、（ａ）（それらのＧＰＳ座標に基づいて）フェムトセルの近傍に位置するすべてのセルのＰＳＣ（またはＲＡＴ固有の物理的識別子）とセルＩＤとを識別し得、および／または（ｂ）数個のすぐ近くのマクロセル／ピコセルを識別し、それらのＮＣＬ情報を使用し得る。管理エンティティにおいて上記の動作によって取得された情報は、フェムトセルのＮＣＬを構築するために使用され得る。
【００７９】
特定の例として、フェムトセルは、フェムトセルの地理的ロケーション情報に基づいて、ネットワークエンティティからＮＣＬのためのＰＳＣを受信し得る。この地理的ロケーションは、ＧＰＳ受信機を使用することまたは位置特定技法など、任意の好適な様式で取得され得る。ネットワークエンティティは、地理的ロケーション情報から可能性があるネイバーを判断し、可能性があるネイバーのためのＰＳＣを取得し、ＮＣＬをポピュレートするためにそれらをフェムトセルに送信し得る。
【００８０】
学習段階がモビリティ管理に及ぼし得る影響を低減するために、方法１について上記で説明した最適化がまたここで採用され得る。上記に鑑みて、先行するセクションで説明した問題の一部または全部に対処しながら、フェムトセルによって、それらのＮＣＬを正しく構成するために上記の方法が使用され得ることを諒解されたい。有利なことに、本明細書で説明する技法はレガシーＵＥに適合する。
【００８１】
ＮＣＬを構築することと併せて、ＮＣＬを管理する（たとえば、優先度を付ける）方法が、本明細書の教示に従ってフェムトセルにおいて採用され得る。たとえば、モビリティ管理手順のために使用され得るフェムトセルにおいて、好適なＰＳＣリストが構築され得る。本方法は、フェムトセルまたは事業者のいずれかにおいて常駐し得る。ＮＣＬの優先度付けは、ＮＣＬ  ＰＳＣの潜在的なリストを作成するための本明細書で説明する方法のうちの１つを使用することを含み得る。次いで、フェムトセルは、得られたＰＳＣのための（周期的またはイベントベースの）周波数内および周波数間報告をプロビジョニングする。フェムトセルは、次いで、たとえば、（ａ）経路損失（ＰＬ）、ＣＰＩＣＨ  Ｅｃ／Ｉｏ、またはＣＰＩＣＨ  ＲＳＣＰ、（ｂ）アイドル登録、（ｃ）ハンドオーバ中に生成されたイベントからの情報（たとえば、イベント２ｄ、イベント２ｂ、イベント１ａなど）、または（ｄ）ＰＳＣ（または、概して、ネイバーセル）がＭＲＭ中に観測される周波数、のうちの１つまたは複数に基づいてＰＳＣのためのスコアを作成する。
【００８２】
フェムトセルによって収集された周波数内および周波数間ＰＳＣ（およびＲＡＴ間ネイバーセル）のためのセル識別子（ＩＤ）情報を取得するために、以下手法が実現可能であり得る。第１の手法では、ＨＭＳが、すべてのＰＳＣまたはネイバー物理レベル識別子のリストと、対応するセルＩＤと、他の必要な情報とをフェムトセルの近傍でフェムトセルにプロビジョニングし得る。フェムトセルは、次いで、その情報を使用してＮＣＬを構築し得る。代替として、フェムトセルによって識別されたＰＳＣまたはネイバー物理レイヤ識別子がＨＭＳに通信され得る。それに応じて、ＨＭＳは、フェムトセルにセルＩＤとＮＣＬのために必要とされる他の情報とを与え得る。
【００８３】
本明細書で使用するＨＭＳという用語は、（たとえば、フェムトフォーラムまたは３ＧＰＰによって使用される）ホームノードＢ（ＨＮＢ）管理システムと、たとえば、フェムトセルが（たとえば、３Ｇ−ＡＮＲ手順または任意の他の好適な手順を使用して）それと情報を交換し得る、場合によっては事前構成される内部フェムトセル（たとえば、ＨＮＢ）データベース、ネイバーセル情報を与えるように場合によっては適合されるロケーション管理データベース（たとえば、ＧＰＳ支援）、または近くのフェムトセル／ＲＮＣを含む任意の管理／参照エンティティとのうちのいずれか１つを包含するために、総称的な意味で使用する。
【００８４】
ＮＣＬのために必要とされる情報は、再選択パラメータと、アクティブモビリティパラメータと、ブロッキングインジケータと、ＲＡＮおよびコアネットワークの識別子およびパラメータとの形態で提供され得る。
【００８５】
異なる周波数中のマクロセル基地局は、時々コロケートされる（すなわち、実質的に同じ物理的ロケーションに位置する）。コロケートマクロセルに適応するために、本方法は、次のように適合され得る。異なる周波数中で動作するコロケートマクロセルが同じＰＳＣを有する場合、ＮＣＬ＿（ＰＳＣ，Ｉｎｔｅｒｆｒｅｑ）が、ＮＣＬ＿（ＰＳＣ，Ｉｎｔｒａｆｒｅｑ）中のＰＳＣを含んでいることがある。これは、検出されたセルが周波数内セルについて報告され得るからである。ＨＮＢにおいてコロケートマクロセル情報が利用可能である場合、周波数内検出セルＭＲＭから、一時的ＮＣＬ（たとえば、ＮＣＬ内および間）中でＵＥに与えられたＰＳＣが取得され得る。
【００８６】
本明細書で説明するように、本開示は、いくつかの態様では、一時的ＮＣＬを作成することと、全５１２個のＰＳＣをカバーするために巡回することとに関する。次に、全５１２個のＰＳＣを巡回するアルゴリズムについて説明する。
【００８７】
アルゴリズムは、一時的ネイバーセルリストを作成することと、ＵＥにＮＣＬを通信することと、ＵＥから測定報告メッセージを収集することと、より正確なネイバーセルリストを構築することとを伴う。本方法は、アクティブモードＵＥとアイドルモードＵＥの両方に依拠し得る。ＵＥがアイドルモードにある場合、フェムトセルは、報告を収集するためにＵＥを接続モードに遷移させ得る。
【００８８】
一時的ＮＣＬリストを構築するために、以下の手法が採用され得る。
【００８９】
ｉ）周波数内ＮＣＬと周波数間ＮＣＬの両方が、全５１２個のＰＳＣを連続またはランダム様式で巡回し得る。上記で説明したように、いくつかの実施形態では、周波数内測定によりすべての検出されたセルが報告され得るので、周波数内のすべてのＰＳＣを巡回する必要はない。したがって、周波数内ＮＣＬはＰＳＣの固定リストを含み得る。
【００９０】
ｉｉ）周波数内ＭＲＭからの情報を使用することによって、周波数間ＮＣＬ中にポピュレートされるべきＰＳＣのより良い推定値が取得され得る。検出セル報告は周波数間セルについて可能であるので、検出されたＰＳＣは、（たとえば、ＮＣＬ、セルインフォリスト、またはＭＣＭを介して）ＵＥに送られる周波数間ＰＳＣの次のバッチ中にポピュレートされ得る。この手法は、他の周波数中のコロケートマクロセルに関する情報に依拠し得る。
【００９１】
上記のステップは、ＮＣＬ中にポピュレートされるべきＰＳＣの次のバッチを作成することに関するガイドラインを与える。ＵＥによって測定され、報告されるべきＰＳＣの次のバッチは、ＮＣＬ中にポピュレートされる。このリストは、ＳＩＢ１１、ＳＩＢ１１ｂｉｓ、ＲＡＴ内およびＲＡＴ間セルの他のブロードキャスト、セル情報リスト、またはＭＣＭのうちの１つまたは複数を介してＵＥに通信される。ＭＣＭは、以下のように構成される。
【００９２】
１．周波数内ＮＣＬを構築するために、フェムトセルは、検出されたセルの周期的またはイベントベースの報告をプロビジョニングする。
【００９３】
２．周波数間ＮＣＬを構築するために、フェムトセルは、ＮＣＬ中に記載されたＰＳＣの周期的またはイベントベースの報告をプロビジョニングする。
【００９４】
３．周波数内ＮＣＬおよび／または周波数間ＮＣＬを構築するために、フェムトセルは、ＲＡＣＨ上のセルの報告をプロビジョニングする。フェムトセルに登録するＵＥは、ＰＳＣおよびそれらの信号測定値を報告する。
【００９５】
ステップ１、２、および３で収集された情報に基づいて、フェムトセルＮＣＬが構築される。すなわち、ＮＣＬは、周波数内測定され、検出されたセルと、周波数間測定されたセルと、ＵＥ登録（たとえば、ＲＡＣＨ上のＭＲＭ）とに基づく。（たとえば、ＧＳＭネイバーのための）ＲＡＴ間ＮＣＬの構築は、上記の２および３と同様のステップに従い得る。
【００９６】
ＮＣＬを維持すること（たとえば、作成すること、定義すること、管理することなど）に関係するさらなる詳細について、次に、図３〜図９のフローチャートに関連して説明する。便宜上、図３〜図９の動作（または、本明細書で説明または教示する他の動作）については、特定の構成要素（たとえば、図１または図１０の構成要素）によって実行されるものとして説明し得る。たとえば、いくつかの実施形態では、図３〜図９の大部分の動作は、ＮＣＬがそれのために維持されているフェムトセルによって実行され得る。他の実施形態では、図３〜図９の動作の多くは、フェムトセルのためのＮＣＬを維持し、更新されたＮＣＬをフェムトセルに送るネットワークエンティティによって実行され得る。ただし、これらの動作は、他のタイプの構成要素によって実行され得、異なる個数の構成要素を使用して実行され得ることを諒解されたい。また、本明細書で説明する動作のうちの１つまたは複数は、所与の実装形態では採用されないことがあることを諒解されたい。
【００９７】
説明のために、以下の説明は、アクセスポイントのセルの物理レイヤ識別子を参照することがある。所与のアクセスポイントは、単一の物理セルまたは複数の物理セルを備え得ることを諒解されたい。また、コンテキストに応じて、場合によっては、セルという用語は、物理セルのカバレージエリアを指す。
【００９８】
図３には、ＮＣＬを維持することと連携して実行され得るいくつかの高レベル動作が記載されている。
【００９９】
ブロック３０２によって表されるように、（１つまたは複数の）アクセス端末によって検出されたセルの物理レイヤ識別子を報告するために、少なくとも１つのアクセス端末をプロビジョニングする。本明細書で説明するように、この報告は、周波数内測定、周波数間測定、またはＲＡＴ間測定のうちの１つまたは複数に関係し得る。
【０１００】
たとえば、いくつかの実施形態では、プロビジョニングは、検出セット報告が使用可能であることを示す少なくとも１つのメッセージを送ることを備える。別の例として、いくつかの実施形態では、プロビジョニングは、測定報告メッセージを送るように（１つまたは複数の）アクセス端末に要求する少なくとも１つのメッセージを送ることを備える。ここで、（１つまたは複数の）メッセージは、（１つまたは複数の）アクセス端末によって探索されるべき物理レイヤ識別子のセットを指定し得る。
【０１０１】
さらに別の例として、いくつかの実施形態では、プロビジョニングは、物理レイヤ識別子のスーパーセットの異なるサブセットを定義することと、（１つまたは複数の）アクセス端末によって検出可能であるスーパーセットのすべてのセルを連続的に識別するために（１つまたは複数の）アクセス端末に異なるサブセットを連続的に送信することとを備える。場合によっては、異なるサブセットの定義は、サブセットの各々中に含まれる少なくとも１つの物理レイヤ識別子を識別することを備える。
【０１０２】
場合によっては、異なるサブセットの定義は、サブセットの各々についての物理レイヤ識別子の異なるセットを選択するために、スーパーセットの物理レイヤ識別子に優先度を付けることを備える。
【０１０３】
場合によっては、異なるサブセットの定義は、サブセットの各々について、サブセットの物理レイヤ識別子に優先度を付けることを備える。ここで、サブセットの各々について、物理レイヤ識別子の優先度付けの指示はサブセットとともに送信され得る。
【０１０４】
上記で説明した２つの優先度付けケースのいずれかでは、優先度付けは様々な基準に基づき得る。たとえば、いくつかの実施形態では、優先度付けは、物理レイヤ識別子に関連する経路損失（たとえば、経路損失が低くなると優先度またはスコアが高くなる）、物理レイヤ識別子に関連するセルにおけるアイドルアクセス端末の登録（たとえば、登録が多くなると優先度またはスコアが高くなる）、物理レイヤ識別子に関連するハンドオーバ中に生成されるイベントからの情報（たとえば、イベントが多くなると優先度またはスコアが高くなる）、受信した測定報告メッセージ中で物理レイヤ識別子がどのくらい頻繁に報告されるか（たとえば、報告が多くなると優先度またはスコアが高くなる）、または、物理レイヤ識別子に関連した信号品質（たとえば、強度）（たとえば、信号品質が高くなると優先度またはスコアが高くなる）のうちの少なくとも１つに基づく。
【０１０５】
図３のブロック３０４によって表されるように、プロビジョニングの結果として測定報告メッセージを受信する。最低でも、測定は（１つまたは複数の）アクセス端末によって検出されたセルの物理レイヤ識別子（たとえば、ＰＳＣ）を識別する（たとえば、含む）メッセージを報告する。ブロック３０２のプロビジョニングに応じて、これらの測定報告メッセージは、周波数内測定、周波数間測定、またはＲＡＴ間測定値のうちの１つまたは複数に対応し得る。
【０１０６】
ブロック３０６によって表されるように、受信した測定報告メッセージに基づいてフェムトセルのためのネイバーセルリストを維持する。たとえば、測定報告メッセージによって報告されたが、まだＮＣＬ中になかった物理レイヤ識別子がＮＣＬに追加され得る。逆に、ＮＣＬ中にあったが、測定報告メッセージによって報告されなかった物理レイヤ識別子がＮＣＬから除去され得る。
【０１０７】
ブロック３０８によって表されるように、フェムトセルによってＮＣＬの現行バージョンをブロードキャストする。たとえば、フェムトセルは、システム情報ブロック（ＳＩＢ）１１、または何らかの他の好適なメッセージング（たとえば、セル情報リストまたは測定制御メッセージ（ＭＣＭ））を介してＮＣＬをブロードキャストし得る。ブロック３０２〜３０８の動作が繰り返し実行されることを諒解されたい。したがって、ＮＣＬのコンテンツは断続的に更新され、本明細書で説明する複数の手段を介して検証されるので、ＮＣＬを受信するアクセス端末は効果的にＮＣＬに依拠し得る。
【０１０８】
図４〜図９には、図３の動作と併せて採用され得る例示的な動作が記載されている。後述するように、様々な展開シナリオでは、説明する動作は、図３の動作に対応し得、図３の動作に加えて実行され得、または図３の動作とは無関係に実行され得る。
【０１０９】
図４には、周波数内測定報告に基づいてＮＣＬを維持することに関係するいくつかの動作が記載されている。ブロック４０２、４０４、および４０６の動作は、それぞれブロック３０２、３０４、および３０６の動作に対応し得る。
【０１１０】
ブロック４０２によって表されるように、（たとえば、フェムトセルによって、）周波数内測定を行い、測定報告メッセージを返送するように（１つまたは複数の）アクセス端末に要求する（１つまたは複数の）メッセージを送る。本明細書で説明するように、各メッセージは、検出セット報告が使用可能であることを示し得る。したがって、メッセージは、（１つまたは複数の）アクセス端末によってどの物理レイヤ識別子が探索されべきかを指定する必要がない。
【０１１１】
ブロック４０４によって表されるように、ブロック４０２においてメッセージを送られた（１つまたは複数の）アクセス端末のうちの１つまたは複数から測定報告メッセージを（たとえば、フェムトセルにおいて）受信する。これらの測定報告メッセージは、（１つまたは複数の）アクセス端末によって検出されたセルの物理レイヤ識別子を含む。すなわち、これらの測定報告は、フェムトセルのＮＣＬ中に記載された現在の物理レイヤ識別子によって抑制される必要はない。
【０１１２】
ブロック４０６によって表されるように、物理レイヤ識別子が測定報告メッセージ中で報告されるかどうかに基づいて物理レイヤ識別子をＮＣＬに追加するか、ＮＣＬから削除する。たとえば、識別子が報告された場合、および対応する信号強度がしきい値を超える場合、および識別子がまだＮＣＬ中になかった場合、識別子が追加され得る。代替的に、識別子が報告されなかった場合、識別子は除去され得る。本明細書で説明するように、（たとえば、フェムトセルのための）正確なＮＣＬを維持するために、ブロック４０２〜４０６の動作が経時的に繰り返される。
【０１１３】
図５には、周波数間および／またはＲＡＴ間測定報告に基づいてＮＣＬを維持することに関係するいくつかの動作が記載されている。ブロック５０２〜５０６の動作は、図３のブロック３０２の動作に対応し得、ブロック５０８および５１０の動作は、それぞれブロック３０４および３０６の動作に対応し得る。
【０１１４】
ブロック５０２によって表されるように、周波数間測定またはＲＡＴ間測定のための物理レイヤ識別子のスーパーセットのサブセットを定義する。上記で説明したように、いくつかの実施形態では、サブセットを定義するために物理レイヤ識別子に優先度を付ける。さらに、いくつかの実施形態では、複数の（たとえば、すべての）サブセット中に「スティッキー」物理レイヤ識別子を含む。
【０１１５】
ブロック５０４によって表されるように、サブセットのうちの１つを選択する。上記で説明したように、いくつかの実施形態では、サブセットの物理レイヤ識別子に優先度を付ける。
【０１１６】
ブロック５０６によって表されるように、（たとえば、フェムトセルによって、）周波数間および／またはＲＡＴ間測定を行い、測定報告メッセージを返送するように（１つまたは複数の）アクセス端末に要求する（１つまたは複数の）メッセージを送る。ここで、送信されたメッセージは、一般に、選択されたサブセットを含み、随意に、優先度付けの指示を含む。
【０１１７】
ブロック５０８によって表されるように、ブロック５０６においてメッセージを送られた（１つまたは複数の）アクセス端末のうちの１つまたは複数から測定報告メッセージを（たとえば、フェムトセルにおいて）受信する。各測定報告メッセージは、アクセス端末によって検出されたサブセットの各物理レイヤ識別子を記載する。さらに、各メッセージは、物理レイヤ識別子が検出された周波数および／またはＲＡＴを示す。
【０１１８】
ブロック５１０によって表されるように、物理レイヤ識別子が測定報告メッセージ中で報告されるかどうかに基づいて物理レイヤ識別子をＮＣＬに追加するか、ＮＣＬから削除する。本明細書で説明するように、（たとえば、フェムトセルのための）正確なＮＣＬを維持するために、ブロック５０４〜５１０の動作が経時的に繰り返される。
【０１１９】
図６には、アクセスポイントからのシグナリングに基づいてＮＣＬを維持することに関係するいくつかの動作が記載されている。場合によっては、ブロック６０２および６０４は、たとえば、図３の動作を補うために（たとえば、近くのセルの物理レイヤ識別子を識別するための追加の機構を与えるために）採用され得る動作を表す。しかしながら、他の場合には、図６の動作は、独立して展開され得る。
【０１２０】
ブロック６０２によって表されるように、フェムトセルにおいてセルからのシグナリングを受信する。たとえば、フェムトセルは、セルの物理レイヤ識別子を備える信号を受信し得る。別の例として、シグナリングは、セルのための少なくとも１つのネイバーセルリストを識別するシステム情報を含むブロードキャストチャネルを備え得る。この場合、シグナリングの受信は、ブロードキャストチャネルを復号することを備え得る。
【０１２１】
ブロック６０４によって表されるように、受信したシグナリングに基づいて少なくとも１つの物理レイヤ識別子を識別する。受信したシグナリングがセルの物理レイヤ識別子を備える場合、少なくとも１つの物理レイヤ識別子の識別は、シグナリングからセルの物理レイヤ識別子を検出することを備え得る。受信したシグナリングがシステム情報を含むブロードキャストチャネルを備えた場合、少なくとも１つの物理レイヤ識別子の識別は、システム情報中に含まれる（１つまたは複数の）ネイバーセルリストから物理レイヤ識別子を抽出することを備え得る。
【０１２２】
ブロック６０６によって表されるように、次いで、（１つまたは複数の）識別された物理レイヤ識別子に基づいてフェムトセルのためのＮＣＬを維持する。たとえば、対応する信号強度がしきい値を超える場合、および識別子がまだＮＣＬ中になかった場合、物理レイヤ識別子がＮＣＬに追加され得る。
【０１２３】
図７には、アクセス端末登録に基づいてＮＣＬを維持することに関係するいくつかの動作が記載されている。
【０１２４】
ブロック７０２によって表されるように、フェムトセルを再選択する少なくとも１つのアクセス端末から少なくとも１つの登録メッセージを受信する。上記で説明したように、（１つまたは複数の）登録メッセージは、（１つまたは複数の）アクセス端末によって以前に検出された少なくとも１つの物理レイヤ識別子を備え（たとえば、含み）得る。
【０１２５】
ブロック７０４によって表されるように、次いで、受信した情報に基づいて、ＮＣＬに（１つまたは複数の）物理レイヤ識別子を追加すべきかどうかの判断を行う。たとえば、（登録メッセージ中に示された）対応する信号強度がしきい値を超える場合、および物理レイヤ識別子がまだＮＣＬ中になかった場合、受信した物理レイヤ識別子がＮＣＬに追加され得る。
【０１２６】
図８には、コロケートセル情報に基づいてＮＣＬを維持することに関係するいくつかの動作が記載されている。
【０１２７】
ブロック８０２によって表されるように、異なる周波数上のコロケートセルを識別する情報を受信する。たとえば、情報は、コロケートセルによって使用された物理レイヤ識別子を識別し、また、これらのセルが動作する周波数を示し得る。
【０１２８】
ブロック８０４によって表されるように、次いで、受信した情報に基づいて、ＮＣＬに物理レイヤ識別子を追加すべきかどうかの判断を行う。たとえば、第１の周波数についてのコロケートセルの物理レイヤ識別子が検出された（たとえば、現在ＮＣＬ中にある）場合、第２の周波数についてのコロケートセルの対応する物理レイヤ識別子（すなわち、同じ識別子）をＮＣＬに追加する。
【０１２９】
図９には、ネットワークエンティティからの情報に基づいてＮＣＬを維持することに関係するいくつかの動作が記載されている。
【０１３０】
ブロック９０２によって表されるように、フェムトセルに関連する識別子を備えるメッセージをネットワークエンティティに送る。この識別子は、異なる実装形態では異なる形態をとり得る。たとえば、識別子は、フェムトセルのＧＰＳ座標、フェムトセルのＩＰアドレス、フェムトセルの物理レイヤ識別子（たとえば、ＰＳＣ）、フェムトセルのセルＩＤ、近くの（１つまたは複数の）セルの物理レイヤ識別子（たとえば、ＰＳＣ）、または近くの（１つまたは複数の）セルのセルＩＤのうちの少なくとも１つを備え得る。
【０１３１】
このメッセージを受信すると、ネットワークエンティティは、フェムトセルに関連する近傍にあるセルを識別する。次いで、ネットワークエンティティは、識別されたセルに関連する物理レイヤ識別子（および随意に、セルＩＤなどの他の情報）を含むメッセージを（たとえば、フェムトセルに）送る。たとえば、ネットワークエンティティは、これらのセルの物理レイヤ識別子、および場合によっては、それらのセルのＮＣＬを送り得る。
【０１３２】
それに応じて、ブロック９０４によって表されるように、ネットワークエンティティからブロック９０２のメッセージへの応答を受信する。上記で説明したように、応答は、フェムトセルに関連する近傍にある少なくとも１つのセルの少なくとも１つの物理レイヤ識別子を備え得る。
【０１３３】
ブロック９０６によって表されるように、次いで、応答に基づいて、ネットワークエンティティから受信した（１つまたは複数の）物理レイヤ識別子をＮＣＬに追加すべきかどうかの判断を行う。それに応じて、ブロック９０８によって表されるように、ブロック９０６の判断に基づいてフェムトセルのためのＮＣＬを維持する。
【０１３４】
図１０に、本明細書で教示するＮＣＬ関係の動作を実行するために（たとえば、それぞれ図１のアクセスポイント１０６およびネットワークエンティティ１１４に対応する）アクセスポイント１００２およびネットワークエンティティ１００４などのノードに組み込まれ得る（対応するブロックによって表される）いくつかの例示的な構成要素を示す。説明する構成要素は、通信システム中の他のノードにも組み込まれ得る。たとえば、システム中の他のノードは、同様の機能を与えるために、アクセスポイント１００２に関して説明する構成要素と同様の構成要素を含み得る。また、所与のノードは、説明する構成要素のうちの１つまたは複数を含み得る。たとえば、アクセスポイントは、アクセスポイントが複数のキャリア上で動作し、および／または異なる技術によって通信することを可能にする、複数のトランシーバ構成要素を含み得る。
【０１３５】
図１０に示すように、アクセスポイント１００２は、他のノード（たとえば、アクセス端末および／またはアクセスポイント）と通信するための１つまたは複数のワイヤレス通信デバイス１００６（たとえば、トランシーバ）を含む。各通信デバイス１００６は、信号（たとえば、メッセージ、情報）を送るための送信機１００８と、信号（たとえば、メッセージ、情報）を受信するための受信機１０１０とを含む。いくつかの実施形態では、通信デバイス１００６（たとえば、アクセスポイント１００２の複数のワイヤレス通信デバイスのうちの１つ）は、ネットワークリッスンモジュールを備える。
【０１３６】
また、アクセスポイント１００２およびネットワークエンティティ１００４は、それぞれ、他のノード（たとえば、ネットワークエンティティ）と通信するための１つまたは複数の通信デバイス１０１２および１０１４（たとえば、ネットワークインターフェース）を含む。たとえば、通信デバイス１０１２または１０１４は、ワイヤベースまたはワイヤレスバックホールを介して１つまたは複数のネットワークエンティティと通信するように構成され得る。いくつかの態様では、通信デバイス１０１２または１０１４は、ワイヤベースまたはワイヤレス信号通信をサポートするように構成された（たとえば、送信機および受信機構成要素を含む）トランシーバとして実装され得る。この通信は、たとえば、メッセージ、パラメータ、他のタイプの情報などを送信および受信することに関与し得る。したがって、図１０の例では、通信デバイス１０１２は、送信機１０１６と受信機１０１８とを含むものとして示され、通信デバイス１０１４は、送信機１０２０と受信機１０２２とを含むものとして示される。
【０１３７】
アクセスポイント１００２およびネットワークエンティティ１００４は、本明細書で教示するＮＣＬ関係の動作に関連して使用され得る他の構成要素をも含む。たとえば、アクセスポイント１００２は、ＮＣＬを維持することに関係する機能を与えるための、および他の処理機能を与えるための処理システム１０２４を含む。同様に、ネットワークエンティティ１００４は、ＮＣＬを維持することに関係する機能を与えるための、および他の処理機能を与えるための処理システム１０２６を含む。アクセスポイント１００２およびネットワークエンティティ１００４は、それぞれ、情報（たとえば、トラフィック情報、しきい値、パラメータなど）を維持するための（たとえば、メモリデバイスを含む）メモリ構成要素１０２８および１０３０をそれぞれ含む。さらに、アクセスポイント１００２およびネットワークエンティティ１００４は、それぞれ、ユーザに指示（たとえば、可聴および／または視覚指示）を与えるため、および／または（キーパッド、タッチスクリーン、マイクロフォンなどの感知デバイスのユーザ作動のときに）ユーザ入力を受信するためのユーザインターフェースデバイス１０３２および１０３４をそれぞれ含む。
【０１３８】
便宜上、アクセスポイント１００２およびネットワークエンティティ１００４は、本明細書で説明する様々な例において使用され得る構成要素を含むものとして図１０に示されている。実際には、図示したブロックは、異なる実装形態では異なる機能を有し得る。たとえば、いくつかの実装形態では、ブロック１０２４の機能は、図５に従って実装される実施形態に比較して、図４に従って実装される実施形態では異なり得る。
【０１３９】
図１０の構成要素は様々な方法で実装され得る。いくつかの実装形態では、図１０の構成要素は、たとえば、１つまたは複数のプロセッサおよび／または（１つまたは複数のプロセッサを含み得る）１つまたは複数のＡＳＩＣなど、１つまたは複数の回路において実装され得る。ここで、各回路（たとえば、プロセッサ）は、この機能を与えるために回路によって使用される情報または実行コードを記憶するためのデータメモリを使用し、および／または組み込み得る。たとえば、ブロック１００６および１０１２によって表される機能の一部、ならびにブロック１０２４、１０２８、および１０３２によって表される機能の一部または全部は、アクセスポイントの１つまたは複数のプロセッサと、アクセスポイントのデータメモリとによって（たとえば、適切なコードの実行によって、および／またはプロセッサ構成要素の適切な構成によって）実装され得る。同様に、ブロック１０１４によって表される機能の一部、ならびにブロック１０２６、１０３０、および１０３４によって表される機能の一部または全部は、ネットワークエンティティの１つまたは複数のプロセッサと、ネットワークエンティティのデータメモリとによって（たとえば、適切なコードの実行によって、および／またはプロセッサ構成要素の適切な構成によって）実装され得る。
【０１４０】
上記で説明したように、いくつかの態様では、本明細書の教示は、大規模カバレージ（たとえば、一般にマクロセルネットワークまたはＷＡＮと呼ばれる３Ｇネットワークなどの広域セルラーネットワーク）と、より小規模のカバレージ（たとえば、一般にＬＡＮと呼ばれるレジデンスベースまたは建築物ベースのネットワーク環境）とを含むネットワークにおいて採用され得る。アクセス端末（ＡＴ）がそのようなネットワーク中を移動するとき、アクセス端末は、いくつかのロケーションでは、マクロカバレージを与えるアクセスポイントによってサービスされ、他のロケーションでは、より小規模のカバレージを与えるアクセスポイントによってサービスされることがある。いくつかの態様では、より小さいカバレージノードを使用して、（たとえば、よりロバストなユーザエクスペリエンスのために）増分キャパシティの増大と、屋内カバレージと、様々なサービスとを与え得る。
【０１４１】
本明細書の説明では、比較的大きいエリアにわたるカバレージを与えるノード（たとえば、アクセスポイント）をマクロアクセスポイントと呼び、比較的小さいエリア（たとえば、レジデンス）にわたるカバレージを与えるノードをフェムトアクセスポイントと呼ぶことがある。本明細書の教示は、他のタイプのカバレージエリアに関連するノードに適用され得ることを諒解されたい。たとえば、ピコアクセスポイントは、マクロエリアよりも小さく、フェムトエリアよりも大きいエリアにわたるカバレージ（たとえば、商業建築物内のカバレージ）を与え得る。様々な適用例では、マクロアクセスポイント、フェムトアクセスポイント、または他のアクセスポイントタイプのノードを指すために他の用語を使用することがある。たとえば、マクロアクセスポイントを、アクセスノード、基地局、アクセスポイント、ｅノードＢ、マクロセルなどとして構成すること、またはそのように呼ぶことがある。また、フェムトアクセスポイントを、ホームノードＢ、ホームｅノードＢ、アクセスポイント基地局、フェムトセルなどとして構成すること、またはそのように呼ぶことがある。いくつかの実装形態では、ノードを１つまたは複数のセルまたはセクタに関連付けることがある（たとえば、そのように呼ぶこと、または分割することがある）。マクロアクセスポイント、フェムトアクセスポイント、またはピコアクセスポイントに関連付けられたセルまたはセクタを、それぞれ、マクロセル、フェムトセル、またはピコセルと呼ぶことがある。
【０１４２】
図１１に、本明細書の教示が実装され得る、何人かのユーザをサポートするように構成されたワイヤレス通信システム１１００を示す。システム１１００は、たとえば、マクロセル１１０２Ａ〜１１０２Ｇなど、複数のセル１１０２の通信を可能にし、各セルは、対応するアクセスポイント１１０４（たとえば、アクセスポイント１１０４Ａ〜１１０４Ｇ）によってサービスされる。図１１に示すように、アクセス端末１１０６（たとえば、アクセス端末１１０６Ａ〜１１０６Ｌ）は、時間とともにシステム全体にわたって様々なロケーションに分散され得る。各アクセス端末１１０６は、たとえば、アクセス端末１１０６がアクティブであるかどうか、およびアクセス端末１１０６がソフトハンドオフ中であるかどうかに応じて、所与の瞬間に順方向リンク（ＦＬ）および／または逆方向リンク（ＲＬ）上で１つまたは複数のアクセスポイント１１０４と通信し得る。ワイヤレス通信システム１１００は大きい地理的領域にわたってサービスを提供し得る。たとえば、マクロセル１１０２Ａ〜１１０２Ｇは、近隣内の数ブロックまたは地方環境の数マイルをカバーし得る。
【０１４３】
図１２に、１つまたは複数のフェムトアクセスポイントがネットワーク環境内に展開された例示的な通信システム１２００を示す。特に、システム１２００は、比較的小規模のネットワーク環境中に（たとえば、１つまたは複数のユーザレジデンス１２３０中に）設置された複数のフェムトアクセスポイント１２１０（たとえば、フェムトアクセスポイント１２１０Ａおよび１２１０Ｂ）を含む。各フェムトアクセスポイント１２１０は、ＤＳＬルータ、ケーブルモデム、ワイヤレスリンク、または他の接続手段（図示せず）を介して、ワイドエリアネットワーク１２４０（たとえば、インターネット）とモバイル事業者コアネットワーク１２５０とに結合され得る。以下で説明するように、各フェムトアクセスポイント１２１０は、関連するアクセス端末１２２０（たとえば、アクセス端末１２２０Ａ）、および、随意に、他の（たとえば、ハイブリッドまたは外来）アクセス端末１２２０（たとえば、アクセス端末１２２０Ｂ）にサービスするように構成され得る。言い換えれば、フェムトアクセスポイント１２１０へのアクセスは制限され得、それによって、所与のアクセス端末１２２０は、指定された（１つまたは複数の）（たとえば、ホーム）フェムトアクセスポイント１２１０のセットによってサービスされ得るが、指定されていないフェムトアクセスポイント１２１０（たとえば、ネイバーのフェムトアクセスポイント１２１０）によってサービスされないことがある。
【０１４４】
図１３に、いくつかのトラッキングエリア１３０２（またはルーティングエリアまたはロケーションエリア）が画定されたカバレージマップ１３００の例を示し、そのエリアの各々はいくつかのマクロカバレージエリア１３０４を含む。ここで、トラッキングエリア１３０２Ａ、１３０２Ｂ、および１３０２Ｃに関連付けられたカバレージのエリアは太線によって示され、マクロカバレージエリア１３０４はより大きい六角形によって表される。トラッキングエリア１３０２はフェムトカバレージエリア１３０６をも含む。この例では、フェムトカバレージエリア１３０６の各々（たとえば、フェムトカバレージエリア１３０６Ｂおよび１３０６Ｃ）は、１つまたは複数のマクロカバレージエリア１３０４（たとえば、マクロカバレージエリア１３０４Ａおよび１３０４Ｂ）内に示されている。ただし、フェムトカバレージエリア１３０６の一部または全部がマクロカバレージエリア１３０４内にない場合があることを諒解されたい。実際問題として、多数のフェムトカバレージエリア１３０６（たとえば、フェムトカバレージエリア１３０６Ａおよび１３０６Ｄ）が所与のトラッキングエリア１３０２またはマクロカバレージエリア１３０４内に画定され得る。また、１つまたは複数のピコカバレージエリア（図示せず）が所与のトラッキングエリア１３０２またはマクロカバレージエリア１３０４内に画定され得る。
【０１４５】
再び図１２を参照すると、フェムトアクセスポイント１２１０の所有者は、たとえば、３Ｇモバイルサービスなど、モバイル事業者コアネットワーク１２５０を介して提供されるモバイルサービスに加入し得る。さらに、アクセス端末１２２０は、マクロ環境と、より小規模の（たとえば、宅内）ネットワーク環境の両方で動作することが可能であり得る。言い換えれば、アクセス端末１２２０の現在のロケーションに応じて、アクセス端末１２２０は、モバイル事業者コアネットワーク１２５０に関連付けられたマクロセルアクセスポイント１２６０によって、または、フェムトアクセスポイント１２１０のセットのいずれか１つ（たとえば、対応するユーザレジデンス１２３０内に常駐するフェムトアクセスポイント１２１０Ａおよび１２１０Ｂ）によってサービスされることがある。たとえば、加入者は、自宅の外にいるときは標準のマクロアクセスポイント（たとえば、アクセスポイント１２６０）によってサービスされ、自宅の中にいるときはフェムトアクセスポイント（たとえば、アクセスポイント１２１０Ａ）によってサービスされる。ここで、フェムトアクセスポイント１２１０は、レガシーアクセス端末１２２０と後方互換性があり得る。
【０１４６】
フェムトアクセスポイント１２１０は、単一の周波数上に展開され得、または代替として、複数の周波数上に展開され得る。特定の構成に応じて、単一の周波数、あるいは複数の周波数のうちの１つまたは複数は、マクロアクセスポイント（たとえば、アクセスポイント１２６０）によって使用される１つまたは複数の周波数と重なることがある。
【０１４７】
いくつかの態様では、アクセス端末１２２０は、そのような接続性が可能であるときはいつでも、好適なフェムトアクセスポイント（たとえば、アクセス端末１２２０のホームフェムトアクセスポイント）に接続するように構成され得る。たとえば、アクセス端末１２２０Ａがユーザのレジデンス１２３０内にあるときはいつでも、アクセス端末１２２０Ａがホームフェムトアクセスポイント１２１０Ａまたは１２１０Ｂのみと通信することが望ましい。
【０１４８】
いくつかの態様では、アクセス端末１２２０がマクロセルラーネットワーク１２５０内で動作しているが、（たとえば、好適ローミングリスト中で定義された）それの最も好適なネットワーク上に常駐していない場合、アクセス端末１２２０は、ベターシステムリセレクション（ＢＳＲ：better system reselection）手順を使用して、最も好適なネットワーク（たとえば、好適なフェムトアクセスポイント１２１０）を探索し続け得、ベターシステムリセレクションでは、より良好なシステムが現在利用可能であるかどうかを判断するために利用可能なシステムの周期的スキャニングを行い、その後、そのような好適なシステムを捕捉し得る。アクセス端末１２２０は、特定の帯域およびチャネルの探索を制限し得る。たとえば、１つまたは複数のフェムトチャネルが定義され得、それにより、領域中のすべてのフェムトアクセスポイント（またはすべての制限付きフェムトアクセスポイント）は（１つまたは複数の）フェムトチャネル上で動作する。最も好適なシステムの探索が周期的に繰り返され得る。好適なフェムトアクセスポイント１２１０が発見されると、アクセス端末１２２０は、それのカバレージエリア内にあるときに使用するために、フェムトアクセスポイント１２１０を選択し、それに登録する。
【０１４９】
フェムトアクセスポイントへのアクセスは、いくつかの態様では、制限されることがある。たとえば、所与のフェムトアクセスポイントは、いくつかのサービスをいくつかのアクセス端末のみに提供し得る。いわゆる制限付き（または限定）アクセスを用いた展開では、所与のアクセス端末は、マクロセルモバイルネットワークと、フェムトアクセスポイントの定義されたセット（たとえば、対応するユーザレジデンス１２３０内に常駐するフェムトアクセスポイント１２１０）とによってのみサービスされ得る。いくつかの実装形態では、アクセスポイントは、少なくとも１つのノード（たとえば、アクセス端末）にシグナリング、データアクセス、登録、ページング、またはサービスのうちの少なくとも１つを提供しないように制限され得る。
【０１５０】
いくつかの態様では、（限定加入者グループホームノードＢと呼ばれることもある）制限付きフェムトアクセスポイントは、制限されたプロビジョニングされたアクセス端末のセットにサービスを提供するフェムトアクセスポイントである。このセットは、必要に応じて一時的にまたは永続的に拡大され得る。いくつかの態様では、限定加入者グループ（ＣＳＧ）は、アクセス端末の共通のアクセス制御リストを共有するアクセスポイント（たとえば、フェムトアクセスポイント）のセットとして定義され得る。
【０１５１】
したがって、所与のフェムトアクセスポイントと所与のアクセス端末との間には様々な関係が存在し得る。たとえば、アクセス端末の観点から、オープンフェムトアクセスポイントは、無制限のアクセスをもつフェムトアクセスポイントを指すことがある（たとえば、そのフェムトアクセスポイントはすべてのアクセス端末にアクセスを許可する）。制限付きフェムトアクセスポイントは、何らかの形で制限された（たとえば、アクセスおよび／または登録について制限された）フェムトアクセスポイントを指すことがある。ホームフェムトアクセスポイントは、アクセス端末がアクセスし、その上で動作することを許可される（たとえば、永続的なアクセスが、１つまたは複数のアクセス端末の定義されたセットに与えられる）フェムトアクセスポイントを指すことがある。ハイブリッド（またはゲスト）フェムトアクセスポイントは、異なるアクセス端末が異なるサービスレベルを提供される（たとえば、あるアクセス端末では、部分的なアクセスおよび／または一時的アクセスが許可され得るが、他のアクセス端末ではフルアクセスが許可され得る）フェムトアクセスポイントを指すことがある。外来フェムトアクセスポイントは、おそらく非常事態（たとえば、９１１番）を除いて、アクセス端末がアクセスし、またはその上で動作することを許可されないフェムトアクセスポイントを指すことがある。
【０１５２】
制限付きフェムトアクセスポイントの観点から、ホームアクセス端末は、そのアクセス端末の所有者のレジデンス中に設置された制限付きフェムトアクセスポイントへのアクセスを許可されるアクセス端末を指すことがある（通常、ホームアクセス端末は、そのフェムトアクセスポイントへの永続的なアクセスを有する）。ゲストアクセス端末は、（たとえば、最終期限、使用時間、バイト、接続回数、または何らかの他の１つまたは複数の基準に基づいて制限された）制限付きフェムトアクセスポイントへの一時的アクセスをもつアクセス端末を指すことがある。外来アクセス端末は、たとえば、おそらく９１１番などの非常事態を除いて、制限付きフェムトアクセスポイントにアクセスする許可を有していないアクセス端末（たとえば、制限付きフェムトアクセスポイントに登録する証明書または許可を有していないアクセス端末）を指すことがある。
【０１５３】
便宜のために、本明細書の開示では、フェムトアクセスポイントの文脈で様々な機能について説明する。ただし、ピコアクセスポイントは、同じまたは同様の機能をより大きいカバレージエリアに与え得ることを諒解されたい。たとえば、所与のアクセス端末に対して、ピコアクセスポイントが制限され得、ホームピコアクセスポイントが定義され得る。
【０１５４】
本明細書の教示は、複数のワイヤレスアクセス端末のための通信を同時にサポートするワイヤレス多元接続通信システムにおいて採用され得る。ここで、各端末は、順方向リンクおよび逆方向リンク上の送信を介して１つまたは複数のアクセスポイントと通信し得る。順方向リンク（またはダウンリンク）は、アクセスポイントから端末への通信リンクを指し、逆方向リンク（またはアップリンク）は、端末からアクセスポイントへの通信リンクを指す。この通信リンクは、単入力単出力システム、多入力多出力（ＭＩＭＯ）システム、または何らかの他のタイプのシステムを介して確立され得る。
【０１５５】
ＭＩＭＯシステムは、データ送信のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善された性能（たとえば、より高いスループットおよび／またはより大きい信頼性）を与え得る。
【０１５６】
ＭＩＭＯシステムは時分割複信（ＴＤＤ）と周波数分割複信（ＦＤＤ）とをサポートし得る。ＴＤＤシステムでは、順方向および逆方向リンク送信が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を抽出することが可能になる。
【０１５７】
図１４に、例示的なＭＩＭＯシステム１４００のワイヤレスデバイス１４１０（たとえば、アクセスポイント）およびワイヤレスデバイス１４５０（たとえば、アクセス端末）を示す。デバイス１４１０では、いくつかのデータストリームのトラフィックデータが、データソース１４１２から送信（ＴＸ）データプロセッサ１４１４に与えられる。各データストリームは、次いで、それぞれの送信アンテナを介して送信され得る。
【０１５８】
ＴＸデータプロセッサ１４１４は、コード化データを与えるために、各データストリームのトラフィックデータを、そのデータストリーム用に選択された特定のコーディング方式に基づいてフォーマットし、コーディングし、インターリーブする。各データストリームの符号化データは、ＯＦＤＭ技法を使用してパイロットデータで多重化され得る。パイロットデータは、典型的には、知られている方法で処理され、チャネル応答を推定するために受信機システムにおいて使用され得る、既知のデータパターンである。次いで、各データストリームの多重化されたパイロットデータおよびコード化データは、変調シンボルを与えるために、そのデータストリーム用に選択された特定の変調方式（たとえば、ＢＰＳＫ、ＱＰＳＫ、Ｍ−ＰＳＫ、またはＭ−ＱＡＭ）に基づいて変調（すなわち、シンボルマッピング）される。各データストリームのデータレート、コーディング、および変調は、プロセッサ１４３０によって実行される命令によって判断され得る。データメモリ１４３２は、プロセッサ１４３０またはデバイス１４１０の他の構成要素によって使用されるプログラムコード、データ、および他の情報を記憶し得る。
【０１５９】
次いで、すべてのデータストリームの変調シンボルがＴＸ  ＭＩＭＯプロセッサ１４２０に与えられ、ＴＸ  ＭＩＭＯプロセッサ１４２０はさらに（たとえば、ＯＦＤＭの場合）その変調シンボルを処理し得る。ＴＸ  ＭＩＭＯプロセッサ１４２０は、次いで、ＮT個の変調シンボルストリームを、ＮT個のトランシーバ（ＸＣＶＲ）１４２２Ａ〜１４２２Ｔに与える。いくつかの態様では、ＴＸ  ＭＩＭＯプロセッサ１４２０は、データストリームのシンボルと、シンボルの送信元のアンテナとにビームフォーミング重みを付加する。
【０１６０】
各トランシーバ１４２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号を与える。次いで、トランシーバ１４２２Ａ〜１４２２ＴからのＮT個の変調信号は、それぞれ、ＮT個のアンテナ１４２４Ａ〜１４２４Ｔから送信される。
【０１６１】
デバイス１４５０では、送信された変調信号はＮR個のアンテナ１４５２Ａ〜１４５２Ｒによって受信され、各アンテナ１４５２からの受信信号は、それぞれのトランシーバ（ＸＣＶＲ）１４５４Ａ〜１４５４Ｒに与えられる。各トランシーバ１４５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【０１６２】
次いで、受信（ＲＸ）データプロセッサ１４６０は、特定の受信機処理技法に基づいてＮR個のトランシーバ１４５４からＮR個の受信シンボルストリームを受信し、処理して、ＮT個の「検出」シンボルストリームを与える。次いで、ＲＸデータプロセッサ１４６０は、各検出シンボルストリームを復調し、デインターリーブし、復号して、データストリームのトラフィックデータを復元する。ＲＸデータプロセッサ１４６０による処理は、デバイス１４１０におけるＴＸ  ＭＩＭＯプロセッサ１４２０およびＴＸデータプロセッサ１４１４によって実行される処理を補足するものである。
【０１６３】
プロセッサ１４７０は、どのプリコーディング行列（以下で論じる）を使用すべきかを定期的に判断する。プロセッサ１４７０は、行列インデックス部とランク値部とを備える逆方向リンクメッセージを作成する。データメモリ１４７２は、プロセッサ１４７０またはデバイス１４５０の他の構成要素によって使用されるプログラムコード、データ、および他の情報を記憶し得る。
【０１６４】
逆方向リンクメッセージは、通信リンクおよび／または受信データストリームに関する様々なタイプの情報を備え得る。次いで、逆方向リンクメッセージは、データソース１４３６からいくつかのデータストリームのトラフィックデータをも受信するＴＸデータプロセッサ１４３８によって処理され、変調器１４８０によって変調され、トランシーバ１４５４Ａ〜１４５４Ｒによって調整され、デバイス１４１０に戻される。
【０１６５】
デバイス１４１０では、デバイス１４５０からの変調信号は、アンテナ１４２４によって受信され、トランシーバ１４２２によって調整され、復調器（ＤＥＭＯＤ）１４４０によって復調され、ＲＸデータプロセッサ１４４２によって処理されて、デバイス１４５０によって送信された逆方向リンクメッセージが抽出される。次いで、プロセッサ１４３０は、ビームフォーミング重みを判断するためにどのプリコーディング行列を使用すべきかを判断し、次いで、抽出されたメッセージを処理する。
【０１６６】
図１４はまた、通信構成要素が、本明細書で教示するＮＣＬ制御動作を実行する１つまたは複数の構成要素を含み得ることを示す。たとえば、ＮＣＬ制御構成要素１４９０は、デバイス１４１０のプロセッサ１４３０および／または他の構成要素と協働して、本明細書で教示するＮＣＬを維持し得る。各デバイス１４１０および１４５０について、説明する構成要素のうちの２つ以上の機能が単一の構成要素によって与えられ得ることを諒解されたい。たとえば、単一の処理構成要素がＮＣＬ制御構成要素１４９０およびプロセッサ１４３０の機能を提供し得る。
【０１６７】
本明細書の教示は、様々なタイプの通信システムおよび／またはシステム構成要素に組み込まれ得る。いくつかの態様では、本明細書の教示は、利用可能なシステムリソースを共有することによって（たとえば、帯域幅、送信電力、符号化、インターリーブなどのうちの１つまたは複数を指定することによって）、複数のユーザとの通信をサポートすることが可能な多元接続システムにおいて採用され得る。たとえば、本明細書の教示は、符号分割多元接続（ＣＤＭＡ）システム、マルチキャリアＣＤＭＡ（ＭＣＣＤＭＡ）、広帯域ＣＤＭＡ（Ｗ−ＣＤＭＡ（登録商標））、高速パケットアクセス（ＨＳＰＡ、ＨＳＰＡ＋）システム、時間分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術のいずれか１つまたは組合せに適用され得る。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計され得る。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００、または何らかの他の技術などの無線技術を実装し得る。ＵＴＲＡは、Ｗ−ＣＤＭＡおよび低チップレート（ＬＣＲ）を含む。ｃｄｍａ２０００技術は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができ得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。本明細書の教示は、３ＧＰＰ  Ｌｏｎｇ  Ｔｅｒｍ  Ｅｖｏｌｕｔｉｏｎ（ＬＴＥ）システム、Ｕｌｔｒａ  Ｍｏｂｉｌｅ  Ｂｒｏａｄｂａｎｄ（ＵＭＢ）システム、および他のタイプのシステムで実装され得る。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されており、ｃｄｍａ２０００は、「３ｒｄ  Ｇｅｎｅｒａｔｉｏｎ  Ｐａｒｔｎｅｒｓｈｉｐ
Ｐｒｏｊｅｃｔ  ２」（３ＧＰＰ２）と称する団体からの文書に記載されている。本開示のいくつかの態様については、３ＧＰＰ用語を使用して説明することがあるが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  Ｒｅｌ０、ＲｅｖＡ、ＲｅｖＢ）技術および他の技術に適用され得ることを理解されたい。
【０１６８】
本明細書の教示は、様々な装置（たとえば、ノード）に組み込まれ得る（たとえば、装置内に実装され得る、または装置によって実行され得る）。いくつかの態様では、本明細書の教示に従って実装されるノード（たとえば、ワイヤレスノード）はアクセスポイントまたはアクセス端末を備え得る。
【０１６９】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ポータブルコンピューティングデバイス（たとえば、携帯情報端末）、エンターテインメントデバイス（たとえば、音楽デバイス、ビデオデバイス、または衛星ラジオ）、全地球測位システムデバイス、またはワイヤレス媒体を介して通信するように構成された他の好適なデバイスに組み込まれ得る。
【０１７０】
アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、送受信基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または何らかの他の同様の用語を備えるか、それらのいずれかとして実装されるか、あるいはそれらのいずれかとして知られることがある。
【０１７１】
いくつかの態様では、ノード（たとえば、アクセスポイント）は、通信システムのためのアクセスノードを備え得る。そのようなアクセスノードは、たとえば、ネットワークへのワイヤードまたはワイヤレス通信リンクを介した、ネットワーク（たとえば、インターネットまたはセルラーネットワークなど、ワイドエリアネットワーク）のための、またはネットワークへの接続性を与え得る。したがって、アクセスノードは、別のノード（たとえば、アクセス端末）がネットワークまたは何らかの他の機能にアクセスすることを可能にし得る。さらに、一方または両方のノードはポータブルであり得るか、場合によっては比較的非ポータブルであり得ることを諒解されたい。
【０１７２】
また、ワイヤレスノードは、非ワイヤレス方式で（たとえば、ワイヤード接続を介して）情報を送信および／または受信することが可能であり得ることを諒解されたい。したがって、本明細書で説明する受信機および送信機は、非ワイヤレス媒体を介して通信するために適切な通信インターフェース構成要素（たとえば、電子的または光学的インターフェース構成要素）を含み得る。
【０１７３】
ワイヤレスノードは、好適なワイヤレス通信技術に基づくあるいは好適なワイヤレス通信技術をサポートする１つまたは複数のワイヤレス通信リンクを介して通信し得る。たとえば、いくつかの態様では、ワイヤレスノードはネットワークに関連し得る。いくつかの態様では、ネットワークはローカルエリアネットワークまたはワイドエリアネットワークを備え得る。ワイヤレスデバイスは、本明細書で説明するような様々なワイヤレス通信技術、プロトコル、または規格（たとえば、ＣＤＭＡ、ＴＤＭＡ、ＯＦＤＭ、ＯＦＤＭＡ、ＷｉＭＡＸ（登録商標）、Ｗｉ−Ｆｉ（登録商標）など）のうちの１つまたは複数をサポートあるいは使用し得る。同様に、ワイヤレスノードは、様々な対応する変調方式または多重化方式のうちの１つまたは複数をサポートあるいは使用し得る。したがって、ワイヤレスノードは、上記または他のワイヤレス通信技術を使用して１つまたは複数のワイヤレス通信リンクを確立し、それを介して通信するために適切な構成要素（たとえば、エアインターフェース）を含み得る。たとえば、ワイヤレスノードは、ワイヤレス媒体上の通信を可能にする様々な構成要素（たとえば、信号生成器および信号処理器）を含み得る関連する送信機構成要素および受信機構成要素をもつワイヤレストランシーバを備え得る。
【０１７４】
（たとえば、添付の図の１つまたは複数に関して）本明細書で説明した機能は、いくつかの態様では、添付の特許請求の範囲において同様に指定された「手段」機能に対応し得る。図１５および図１６を参照すると、装置１５００は一連の相互に関係する機能モジュールとして表される。ここで、少なくとも１つのアクセス端末によって検出されたセルの物理レイヤ識別子を報告するために、少なくとも１つのアクセス端末をプロビジョニングするためのモジュール１５０２は、少なくともいくつかの態様では、たとえば、本明細書で説明する処理システムに対応し得る。プロビジョニングの結果としてフェムトセルにおいて測定報告メッセージを受信するためのモジュール１５０４は、少なくともいくつかの態様では、たとえば、本明細書で説明する通信デバイスに対応し得る。受信した測定報告メッセージに基づいてフェムトセルのためのネイバーセルリストを維持するためのモジュール１５０６は、少なくともいくつかの態様では、たとえば、本明細書で説明する処理システムに対応し得る。ネイバーセルリストをブロードキャストするためのモジュール１５０８は、少なくともいくつかの態様では、たとえば、本明細書で説明する通信デバイスに対応し得る。フェムトセルにおいてシグナリングを受信するためのモジュール１５１０は、少なくともいくつかの態様では、たとえば、本明細書で説明する通信デバイスに対応し得る。受信したシグナリングに基づいて少なくとも１つの物理レイヤ識別子を識別するためのモジュール１５１２は、少なくともいくつかの態様では、たとえば、本明細書で説明する処理システムに対応し得る。少なくとも１つのアクセス端末から少なくとも１つの登録メッセージを受信するためのモジュール１５１４は、少なくともいくつかの態様では、たとえば、本明細書で説明する通信デバイスに対応し得る。ネイバーセルリストに少なくとも１つの登録メッセージからの少なくとも１つの物理レイヤ識別子を追加すべきかどうかを判断するためのモジュール１５１６は、少なくともいくつかの態様では、たとえば、本明細書で説明する処理システムに対応し得る。異なる周波数上のコロケートセルを識別する情報を受信するためのモジュール１５１８は、少なくともいくつかの態様では、たとえば、本明細書で説明する通信デバイスに対応し得る。受信された情報に基づいてネイバーセルリストに少なくとも１つの物理レイヤ識別子を追加するかどうかを判断するためのモジュール１５２０は、少なくともいくつかの態様では、たとえば、本明細書で説明する処理システムに対応し得る。フェムトセルに関連する識別子を備えるメッセージをネットワークエンティティに送るためのモジュール１５２２は、少なくともいくつかの態様では、たとえば、本明細書で説明する通信デバイスに対応し得る。メッセージへの応答を受信するためのモジュール１５２４は、少なくともいくつかの態様では、たとえば、本明細書で説明する通信デバイスに対応し得る。ネイバーセルリストにネットワークエンティティから受信した少なくとも１つの物理レイヤ識別子を追加すべきかどうかを判断するためのモジュール１５２６は、少なくともいくつかの態様では、たとえば、本明細書で説明する処理システムに対応し得る。
【０１７５】
図１５および図１６のモジュールの機能は、本明細書の教示に一致する様々な方法で実装され得る。いくつかの態様では、これらのモジュールの機能は、１つまたは複数の電気構成要素として実装され得る。いくつかの態様では、これらのブロックの機能は、１つまたは複数のプロセッサ構成要素を含む処理システムとして実装され得る。いくつかの態様では、これらのモジュールの機能は、たとえば、１つまたは複数の集積回路（たとえば、ＡＳＩＣ）の少なくとも一部分を使用して実装され得る。本明細書で説明するように、集積回路は、プロセッサ、ソフトウェア、他の関係する構成要素、またはそれらの何らかの組合せを含み得る。これらのモジュールの機能はまた、本明細書で教示するように何らかの他の方法で実装され得る。いくつかの態様では、図１５および図１６中の破線ブロックのうちの１つまたは複数は随意である。
【０１７６】
本明細書における「第１の」、「第２の」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用され得る。したがって、第１および第２の要素への言及は、そこで２つの要素のみが採用され得ること、または第１の要素が何らかの方法で第２の要素に先行しなければならないことを意味するものではない。また、別段に記載されていない限り、要素のセットは１つまたは複数の要素を備え得る。さらに、明細書または特許請求の範囲において使用される「Ａ、Ｂ、またはＣのうちの少なくとも１つ」または「Ａ、Ｂ、またはＣのうちの１つまたは複数」または「Ａ、Ｂ、およびＣからなるグループのうちの少なくとも１つ」という形式の用語は、「ＡまたはＢまたはＣ、あるいはこれらの要素の任意の組合せ」を意味する。たとえば、この用語は、Ａ、あるいはＢ、あるいはＣ、あるいはＡおよびＢ、あるいはＡおよびＣ、あるいはＡおよびＢおよびＣ、あるいは２Ａ、あるいは２Ｂ、あるいは２Ｃなどを含み得る。
【０１７７】
情報および信号は多種多様な技術および技法のいずれかを使用して表され得ることを、当業者なら理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１７８】
さらに、本明細書で開示した態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計され得る、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装され得ることを当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【０１７９】
本明細書で開示する態様に関して説明した様々な例示的な論理ブロック、モジュールおよび回路は、処理システム、集積回路（「ＩＣ」）、アクセス端末、またはアクセスポイント内に実装されるか、またはそれらによって実行され得る。処理システムは、１つまたは複数のＩＣを使用して実装され得、あるいは、（たとえば、チップ上のシステムの一部として）ＩＣ内に実装され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、電子的構成要素、光学的構成要素、機械的構成要素、あるいは本明細書に記載の機能を実行するように設計されたそれらの任意の組合せを備えることができ、ＩＣの内部に、ＩＣの外側に、またはその両方に常駐するコードまたは命令を実行し得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１８０】
開示されたプロセス中のステップの特定の順序または階層は、例示的な手法の一例であることを理解されたい。設計の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１８１】
１つまたは複数の例示的な実施形態では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含めるべきである。コンピュータ可読媒体は任意の好適なコンピュータプログラム製品に実装され得ることを諒解されたい。
【０１８２】
本明細書で使用する「判断」という用語は、多種多様なアクションを包含する。たとえば、「判断」は、計算、算出、処理、導出、調査、探索（たとえば、テーブル、データベースまたは別のデータ構造での探索）、確認などを含み得る。また、「判断」は、受信（たとえば、情報を受信すること）、アクセス（たとえば、メモリ中のデータにアクセスすること）などを含み得る。また、「判断」は、解決、選択、選定、確立などを含み得る。
【０１８３】
開示された態様の前述の説明は、当業者が本開示を実施または使用できるようにするために提供されるものである。これらの態様への様々な修正は当業者には容易に明らかになり、本明細書で定義した一般原理は、本開示の範囲から逸脱することなく他の態様に適用され得る。したがって、本開示は、本明細書で示した態様に限定されるものではなく、本明細書で開示する原理および新規の特徴に一致する最も広い範囲を与られるべきである。
【０１８４】
以下に、本願出願の当初の特許請求の範囲に記載された発明を付記する。
［Ｃ１］
通信のための装置であって、
少なくとも１つのアクセス端末によって検出されたセルの物理レイヤ識別子を報告するために、前記少なくとも１つのアクセス端末をプロビジョニングするように構成された処理システムと、
前記プロビジョニングの結果として測定報告メッセージを受信するように構成された通信デバイスであって、前記測定報告メッセージが、前記少なくとも１つのアクセス端末によって検出された前記セルの物理レイヤ識別子を識別する、通信デバイスとを備え、
前記処理システムが、前記受信した測定報告メッセージに基づいて前記装置のためのネイバーセルリストを維持するようにさらに構成され、
前記通信デバイスが、前記ネイバーセルリストをブロードキャストするようにさらに構成された装置。
［Ｃ２］
前記装置が、シグナリングを受信するように構成された別の通信デバイスをさらに備え、
前記シグナリングがセルから受信され、
前記処理システムが、前記受信したシグナリングに基づいて少なくとも１つの物理レイヤ識別子を識別するようにさらに構成され、
前記ネイバーセルリストを前記維持することが、前記識別された少なくとも１つの物理レイヤ識別子にさらに基づくＣ１に記載の装置。
［Ｃ３］
前記シグナリングが、前記セルのための少なくとも１つのネイバーセルリストを識別するシステム情報を含むブロードキャストチャネルを備え、
前記シグナリングの前記受信が、前記ブロードキャストチャネルを復号することを備え、
前記少なくとも１つの物理レイヤ識別子の前記識別が、前記システム情報中に含まれる前記少なくとも１つの前記ネイバーセルリストから物理レイヤ識別子を抽出することを備えるＣ２に記載の装置。
［Ｃ４］
前記少なくとも１つの物理レイヤ識別子の前記識別が、前記シグナリングから前記セルの物理レイヤ識別子を検出することを備える、Ｃ２に記載の装置。
［Ｃ５］
前記プロビジョニングが、検出セット報告が使用可能であることを示す少なくとも１つのメッセージを送ることを備える、Ｃ１に記載の装置。
［Ｃ６］
前記プロビジョニングが、測定報告メッセージを送るように前記少なくとも１つのアクセス端末に要求する少なくとも１つのメッセージを送ることを備え、
前記少なくとも１つのメッセージが、前記少なくとも１つのアクセス端末によって探索されるべき物理レイヤ識別子のセットを指定するＣ１に記載の装置。
［Ｃ７］
前記プロビジョニングが、
物理レイヤ識別子のスーパーセットの異なるサブセットを定義することと、
前記少なくとも１つのアクセス端末によって検出可能である前記スーパーセットのすべてのセルを連続的に識別するために、前記少なくとも１つのアクセス端末に前記異なるサブセットを連続的に送信することとを備える、Ｃ１に記載の装置。
［Ｃ８］
前記異なるサブセットの前記定義が、前記サブセットの各々中に含まれる少なくとも１つの物理レイヤ識別子を識別することを備える、Ｃ７に記載の装置。
［Ｃ９］
前記異なるサブセットの前記定義が、前記サブセットの各々についての前記物理レイヤ識別子の異なるセットを選択するために、前記スーパーセットの前記物理レイヤ識別子に優先度を付けることを備える、Ｃ７に記載の装置。
［Ｃ１０］
前記異なるサブセットの前記定義が、前記サブセットの各々について、前記サブセットの前記物理レイヤ識別子に優先度を付けることを備える、Ｃ７に記載の装置。
［Ｃ１１］
前記物理レイヤ識別子の前記優先度付けが、前記物理レイヤ識別子に関連する経路損失、前記物理レイヤ識別子に関連するセルにおけるアイドル状態のアクセス端末の登録、前記物理レイヤ識別子に関連するハンドオーバ中に生成されたイベントからの情報、または前記物理レイヤ識別子が前記受信した測定報告メッセージ中でどのくらい頻繁に報告されるかのうちの少なくとも１つに基づく、Ｃ１０に記載の装置。
［Ｃ１２］
前記サブセットの各々について、前記物理レイヤ識別子の前記優先度付けの指示が前記サブセットとともに送信される、Ｃ１０に記載の装置。
［Ｃ１３］
前記通信デバイスが、前記装置を再選択する少なくとも１つのアクセス端末から少なくとも１つの登録メッセージを受信するようにさらに構成され、
前記少なくとも１つの登録メッセージが少なくとも１つの物理レイヤ識別子を備え、
前記処理システムが、前記ネイバーセルリストに前記少なくとも１つの登録メッセージからの前記少なくとも１つの物理レイヤ識別子を追加すべきかどうかを判断するようにさらに構成されたＣ１に記載の装置。
［Ｃ１４］
前記装置が、異なる周波数上のコロケートセルを識別する情報を受信するように構成された別の通信デバイスをさらに備え、
前記処理システムが、前記受信した情報に基づいて前記ネイバーセルリストに少なくとも１つの物理レイヤ識別子を追加すべきかどうかを判断するようにさらに構成されたＣ１に記載の装置。
［Ｃ１５］
前記装置が、ネットワークエンティティに、前記装置に関連する識別子を備えるメッセージを送るように構成された別の通信デバイスをさらに備え、
前記別の通信デバイスが、前記ネットワークエンティティから前記メッセージへの応答を受信するようにさらに構成され、
前記応答が、前記装置に関連する近傍にある少なくとも１つのセルのうちの少なくとも１つの物理レイヤ識別子を備え、
前記処理システムが、前記ネイバーセルリストに前記ネットワークエンティティから受信した前記少なくとも１つの物理レイヤ識別子を追加すべきかどうかを判断するようにさらに構成されたＣ１に記載の装置。
［Ｃ１６］
少なくとも１つのアクセス端末によって検出されたセルの物理レイヤ識別子を報告するために、前記少なくとも１つのアクセス端末をプロビジョニングすることと、
前記プロビジョニングの結果としてフェムトセルにおいて測定報告メッセージを受信することであって、前記測定報告メッセージが、前記少なくとも１つのアクセス端末によって検出された前記セルの物理レイヤ識別子を識別する、受信することと、
前記受信した測定報告メッセージに基づいて前記フェムトセルのためのネイバーセルリストを維持することと、
前記ネイバーセルリストをブロードキャストすることとを備える、通信の方法。
［Ｃ１７］
前記フェムトセルにおいてシグナリングを受信することであって、前記シグナリングがセルから受信される、受信することと、
前記受信したシグナリングに基づいて少なくとも１つの物理レイヤ識別子を識別することであって、前記ネイバーセルリストを前記維持することが、前記識別された少なくとも１つの物理レイヤ識別子にさらに基づく、識別することとをさらに備える、Ｃ１６に記載の方法。
［Ｃ１８］
前記シグナリングが、前記セルのための少なくとも１つのネイバーセルリストを識別するシステム情報を含むブロードキャストチャネルを備え、
前記シグナリングの前記受信が、前記ブロードキャストチャネルを復号することを備え、
前記少なくとも１つの物理レイヤ識別子の前記識別が、前記システム情報中に含まれる前記少なくとも１つの前記ネイバーセルリストから物理レイヤ識別子を抽出することを備えるＣ１７に記載の方法。
［Ｃ１９］
前記少なくとも１つの物理レイヤ識別子の前記識別が、前記シグナリングから前記セルの物理レイヤ識別子を検出することを備える、Ｃ１７に記載の方法。
［Ｃ２０］
前記プロビジョニングが、検出セット報告が使用可能であることを示す少なくとも１つのメッセージを送ることを備える、Ｃ１６に記載の方法。
［Ｃ２１］
前記プロビジョニングが、測定報告メッセージを送るように前記少なくとも１つのアクセス端末に要求する少なくとも１つのメッセージを送ることを備え、
前記少なくとも１つのメッセージが、前記少なくとも１つのアクセス端末によって探索されるべき物理レイヤ識別子のセットを指定するＣ１６に記載の方法。
［Ｃ２２］
前記プロビジョニングが、
物理レイヤ識別子のスーパーセットの異なるサブセットを定義することと、
前記少なくとも１つのアクセス端末によって検出可能である前記スーパーセットのすべてのセルを連続的に識別するために、前記少なくとも１つのアクセス端末に前記異なるサブセットを連続的に送信することとを備える、Ｃ１６に記載の方法。
［Ｃ２３］
前記異なるサブセットの前記定義が、前記サブセットの各々中に含まれる少なくとも１つの物理レイヤ識別子を識別することを備える、Ｃ２２に記載の方法。
［Ｃ２４］
前記異なるサブセットの前記定義が、前記サブセットの各々についての前記物理レイヤ識別子の異なるセットを選択するために、前記スーパーセットの前記物理レイヤ識別子に優先度を付けることを備える、Ｃ２２に記載の方法。
［Ｃ２５］
前記異なるサブセットの前記定義が、前記サブセットの各々について、前記サブセットの前記物理レイヤ識別子に優先度を付けることを備える、Ｃ２２に記載の方法。
［Ｃ２６］
前記物理レイヤ識別子の前記優先度付けが、前記物理レイヤ識別子に関連する経路損失、前記物理レイヤ識別子に関連するセルにおけるアイドル状態のアクセス端末の登録、前記物理レイヤ識別子に関連するハンドオーバ中に生成されたイベントからの情報、または前記物理レイヤ識別子が前記受信した測定報告メッセージ中でどのくらい頻繁に報告されるかのうちの少なくとも１つに基づく、Ｃ２５に記載の方法。
［Ｃ２７］
前記サブセットの各々について、前記物理レイヤ識別子の前記優先度付けの指示が前記サブセットとともに送信される、Ｃ２５に記載の方法。
［Ｃ２８］
前記フェムトセルを再選択する少なくとも１つのアクセス端末から少なくとも１つの登録メッセージを受信することであって、前記少なくとも１つの登録メッセージが少なくとも１つの物理レイヤ識別子を備える、受信することと、
前記ネイバーセルリストに前記少なくとも１つの登録メッセージからの前記少なくとも１つの物理レイヤ識別子を追加すべきかどうかを判断することとをさらに備える、Ｃ１６に記載の方法。
［Ｃ２９］
異なる周波数上のコロケートセルを識別する情報を受信することと、
前記受信した情報に基づいて前記ネイバーセルリストに少なくとも１つの物理レイヤ識別子を追加すべきかどうかを判断することとをさらに備える、Ｃ１６に記載の方法。
［Ｃ３０］
ネットワークエンティティに、前記フェムトセルに関連する識別子を備えるメッセージを送ることと、
前記ネットワークエンティティから前記メッセージへの応答を受信することであって、前記応答が、前記フェムトセルに関連する近傍にある少なくとも１つのセルの少なくとも１つの物理レイヤ識別子を備える、受信することと、
前記ネイバーセルリストに前記ネットワークエンティティから受信した前記少なくとも１つの物理レイヤ識別子を追加すべきかどうかを判断することとをさらに備える、Ｃ１６に記載の方法。
［Ｃ３１］
通信のための装置であって、
少なくとも１つのアクセス端末によって検出されたセルの物理レイヤ識別子を報告するために、前記少なくとも１つのアクセス端末をプロビジョニングするための手段と、
前記プロビジョニングの結果として測定報告メッセージを受信するための手段であって、前記測定報告メッセージが、前記少なくとも１つのアクセス端末によって検出された前記セルの物理レイヤ識別子を識別する、受信するための手段と、
前記受信した測定報告メッセージに基づいて前記装置のためのネイバーセルリストを維持するための手段と、
前記ネイバーセルリストをブロードキャストするための手段とを備える、装置。
［Ｃ３２］
シグナリングを受信するための手段であって、前記シグナリングがセルから受信される、受信するための手段と、
前記受信したシグナリングに基づいて少なくとも１つの物理レイヤ識別子を識別するための手段であって、前記ネイバーセルリストを前記維持することが、前記識別された少なくとも１つの物理レイヤ識別子にさらに基づく、識別するための手段とをさらに備える、Ｃ３１に記載の装置。
［Ｃ３３］
前記装置を再選択する少なくとも１つのアクセス端末から少なくとも１つの登録メッセージを受信するための手段であって、前記少なくとも１つの登録メッセージが少なくとも１つの物理レイヤ識別子を備える、受信するための手段と、
前記ネイバーセルリストに前記少なくとも１つの登録メッセージからの前記少なくとも１つの物理レイヤ識別子を追加すべきかどうかを判断するための手段とをさらに備える、Ｃ３１に記載の装置。
［Ｃ３４］
異なる周波数上のコロケートセルを識別する情報を受信するための手段と、
前記受信した情報に基づいて前記ネイバーセルリストに少なくとも１つの物理レイヤ識別子を追加すべきかどうかを判断するための手段とをさらに備える、Ｃ３１に記載の装置。
［Ｃ３５］
ネットワークエンティティに、前記装置に関連する識別子を備えるメッセージを送るための手段と、
前記ネットワークエンティティから前記メッセージへの応答を受信するための手段であって、前記応答が、前記装置に関連する近傍にある少なくとも１つのセルの少なくとも１つの物理レイヤ識別子を備える、受信するための手段と、
前記ネイバーセルリストに前記ネットワークエンティティから受信した前記少なくとも１つの物理レイヤ識別子を追加すべきかどうかを判断するための手段とをさらに備える、Ｃ３１に記載の装置。
［Ｃ３６］
コンピュータに、
少なくとも１つのアクセス端末によって検出されたセルの物理レイヤ識別子を報告するために、前記少なくとも１つのアクセス端末をプロビジョニングすることと、
前記プロビジョニングの結果としてフェムトセルにおいて測定報告メッセージを受信することであって、前記測定報告メッセージが、前記少なくとも１つのアクセス端末によって検出された前記セルの物理レイヤ識別子を識別する、受信することと、
前記受信した測定報告メッセージに基づいて前記フェムトセルのためのネイバーセルリストを維持することと、
前記ネイバーセルリストをブロードキャストすることとを行わせるためのコードを備えるコンピュータ可読媒体を備える、コンピュータプログラム製品。
［Ｃ３７］
前記コンピュータ可読媒体が、前記コンピュータに、
前記フェムトセルにおいてシグナリングを受信することであって、前記シグナリングがセルから受信される、受信することと、
前記受信したシグナリングに基づいて少なくとも１つの物理レイヤ識別子を識別することであって、前記ネイバーセルリストを前記維持することが、前記識別された少なくとも１つの物理レイヤ識別子にさらに基づく、識別することとを行わせるためのコードをさらに備える、Ｃ３６に記載のコンピュータプログラム製品。
［Ｃ３８］
前記コンピュータ可読媒体が、前記コンピュータに、
前記フェムトセルを再選択する少なくとも１つのアクセス端末から少なくとも１つの登録メッセージを受信することであって、前記少なくとも１つの登録メッセージが少なくとも１つの物理レイヤ識別子を備える、受信することと、
前記ネイバーセルリストに前記少なくとも１つの登録メッセージからの前記少なくとも１つの物理レイヤ識別子を追加すべきかどうかを判断することとを行わせるためのコードをさらに備える、Ｃ３６に記載のコンピュータプログラム製品。
［Ｃ３９］
前記コンピュータ可読媒体が、前記コンピュータに、
異なる周波数上のコロケートセルを識別する情報を受信することと、
前記受信した情報に基づいて前記ネイバーセルリストに少なくとも１つの物理レイヤ識別子を追加すべきかどうかを判断することとを行わせるためのコードをさらに備える、Ｃ３６に記載のコンピュータプログラム製品。
［Ｃ４０］
前記コンピュータ可読媒体が、前記コンピュータに、
ネットワークエンティティに、前記フェムトセルに関連する識別子を備えるメッセージを送ることと、
前記ネットワークエンティティから前記メッセージへの応答を受信することであって、前記応答が前記フェムトセルに関連する近傍にある少なくとも１つのセルの少なくとも１つの物理レイヤ識別子を備える、受信することと、
前記ネイバーセルリストに前記ネットワークエンティティから受信した前記少なくとも１つの物理レイヤ識別子を追加すべきかどうかを判断することとを行わせるためのコードをさらに備える、Ｃ３６に記載のコンピュータプログラム製品。
【図１】
0006039019.tif 000002
【図２】
0006039019.tif 000003
【図３】
0006039019.tif 000004
【図４】
0006039019.tif 000005
【図５】
0006039019.tif 000006
【図６】
0006039019.tif 000007
【図７】
0006039019.tif 000008
【図８】
0006039019.tif 000009
【図９】
0006039019.tif 000010
【図１０】
0006039019.tif 000011
【図１１】
0006039019.tif 000012
【図１２】
0006039019.tif 000013
【図１３】
0006039019.tif 000014
【図１４】
0006039019.tif 000015
【図１５】
0006039019.tif 000016
【図１６】
0006039019.tif 000017